(57)【要約】回転槽（３）を共振回転数以下の回転で動作した状態で、洗濯槽（２２）の前方上部に設けた振動検知部（１０）の任意の二軸変位を検知し、布量検知部の衣類容量からその振動変位を衣類容量に応じて補正することで、洗濯物（１８）のアンバランス量およびアンバランス位置（前後方向）を正確に把握し、脱水起動時の回転体制御装置（８）を最適条件で駆動する構成を有する。これにより、回転槽（３）が共振回転数を通過する際に発生する振動を最小限に抑制するドラム式洗濯機を実現できる。
2014199627.tif 000002
【特許請求の範囲】
【請求項１】
筐体と、
前記筐体の内部に支持された洗濯槽と、
前記洗濯槽内に回転可能に収納された回転槽と、
前記回転槽を回転駆動する駆動部と、
前記回転槽に設けた回転体制御装置と、
前記洗濯槽に設けた振動検知部と、
前記回転槽内の布量を算出する布量検知部と、
前記振動検知部からの出力に基づいて前記駆動部を制御する制御部と、を備え、
前記制御部は、前記振動検知部で検知した振動変位と前記布量検知部で検知した布量とに基づいて、脱水起動時に前記回転体制御装置を制御するドラム式洗濯機。
【請求項２】
前記回転体制御装置は、前記回転槽の円周に合わせて設けられ、内部に複数のボールを有するボールバランサで構成され、
前記制御部は、前記振動検知部で検知した振動変位から前記回転槽のアンバランス量と円周方向のアンバランス位置とを含むアンバランス状態を把握し、前記アンバランス状態に基づいて、前記ボールが前記アンバランス位置に対向する位置に偏る対向起動、または、前記ボールが前記ボールバランス内に分散する分散起動となるように制御する請求項１に記載のドラム式洗濯機。
【請求項３】
前記制御部は、
前記回転槽を共振回転数以下の所定回転数に維持した状態で、前記振動検知部で検知した振動変位から前記共振回転数時に前記回転槽の振動を抑制するように前記回転体制御装置を制御する起動判定部と、
前記布量検知部で検知した布量から前記振動検知部で検知した振動変位の値を補正換算する布量補正部とを備える請求項１に記載のドラム式洗濯機。
【請求項４】
前記布量補正部は、前記回転槽内の布量が一定値以下の場合に、前記布量補正部の補正を行わない請求項３に記載のドラム式洗濯機。
【請求項５】
前記布量補正部は、洗濯ステップの給水前の状態に行った布量で補正する請求項３または請求項４のいずれか１項に記載のドラム式洗濯機。
【請求項６】
前記回転体制御装置近傍の温度計測を行う温度検知部を、さらに備え、
前記制御部は、前記振動検知部で検知した振動変位と前記布量検知部で検知した布量と前記温度検知部で検知した温度とに基づいて、脱水起動時に前記回転体制御装置を制御する請求項１に記載のドラム式洗濯機。
【請求項７】
前記制御部は、
前記回転槽を共振回転数以下の所定回転数に維持した状態で、前記振動検知部で検知した振動変位から共振回転数時に前記回転槽の振動を抑制するように前記回転体制御装置を制御する起動判定部と、
前記温度検知部で検知した温度から前記振動検知部で検知した振動変位の値を補正換算する温度補正部とを備える請求項６に記載のドラム式洗濯機。
【請求項８】
前記温度補正部は、前記温度検知部で検知した温度値から、前記回転体制御装置の温度を推測する温度補完部を、さらに有する請求項７に記載のドラム式洗濯機。
【請求項９】
前記温度補正部は、脱水ステップ前に温度計測を行い、測定された温度計測値から補正を行う請求項７または請求項８のいずれか１項に記載のドラム式洗濯機。
【請求項１０】
前記振動検知部は、前記洗濯槽の前方上部に設けられている請求項１に記載のドラム式洗濯機。
【発明の詳細な説明】
【技術分野】
【０００１】
本発明は、回転体制御装置（ボールバランサ）を備えたドラム式洗濯機に関する。特に、洗濯衣類などのドラム内での偏りによるアンバランス状態を把握し、把握した状態に応じた起動方法で脱水ステップに移行して、起動時の振動抑制を行うドラム式洗濯機に関する。
【背景技術】
【０００２】
従来、この種のドラム式洗濯機は、濡れた衣類をドラム内に収容した状態では、ドラム内に衣類が不均一に分布している。そのため、ドラムを水平軸を中心に高速回転した場合、ドラム内の衣類がアンバランス状態で回転する。通常、ドラムの回転数は、起動から約２００ｒｐｍから４００ｒｐｍぐらいまでの間に最大の共振点を有する。これにより、振動や騒音、および振動による消費電力の増加などが発生する。そのため、ドラムを、容易に高速回転させることができない。【０００３】
そこで、従来のドラム式洗濯機は、回転体制御装置（ボールバランサ）を備えている。そして、ドラムの回転速度が、ドラムの固有振動数よりも高い回転速度になると、ボールバランサ内のボールが衣類の偏りの反対位置に移動する。この作用により、ボールバランサ内のボールが、ドラム内の衣類の偏りの反対方向に移動して、衣類などによるアンバランス状態を解消している。【０００４】
一般的に、ドラムが低速で回転する場合、ボールバランサ内のボールは、重力により、ボールバランサ内の底部に位置して上方向へ移動しない。一方、ドラムの回転速度が、ボールの重力を超える回転加速度が加わるような一定回転速度となった場合には、ボールバランサ内のボールは上方向へ移動する。つまり、ボールバランサ内のボールの動作を制御して、衣類の偏りに対してボールを適切な位置に配置することにより、アンバランス状態で発生するドラムの振動の抑制を行っている。【０００５】
また、ボールバランサ内には、ボール以外に、例えばシリコーンオイルなどの流体が封入されている。これにより、ボールの衝突音の防止や、ボールバランサ内のボールの移動の安定化を図っている。【０００６】
しかしながら、洗濯衣類などがドラム内でどのように偏っているのかを把握できない限り、その偏りに応じてボールを最適な位置に配置することができない。そこで、洗濯槽に設けた振動検知部で振動変位を検知して、衣類の偏りを把握する方法が開示されている（例えば、特許文献１参照）。【０００７】
以下に、従来のドラム式洗濯機の一例として、特許文献１に記載された洗濯機について、図１１および図１２を用いて、説明する。【０００８】
図１１は、従来のドラム式洗濯機の構成図である。図１２は、従来のドラム式洗濯機の制御ブロック図である。【０００９】
図１１および図１２に示すように、従来のドラム式洗濯機は、ドラム式洗濯機本体１０Ａに、洗濯槽２０Ａが弾性的に固定して配設されている。洗濯槽２０Ａは、ドラム３０Ａを収納し、ドラム３０Ａを駆動するモータ４０Ａが洗濯槽２０Ａの背面の位置に設けられている。ドラム３０Ａの前面には、衣類投入口に設けた扉７０Ａが配置されている。また、洗濯槽２０Ａは、ドラム式洗濯機本体１０Ａの底部からダンパ２２０で支えられるとともに、ドラム式洗濯機本体１０Ａの上部に配置された吊バネ１８０、１９０により支えられている。【００１０】
また、例えば加速度センサ５０１などから構成された振動検知部５０Ａは、洗濯槽２０Ａの後部底面に設けられ、洗濯槽２０Ａの振動を検知する。【００１１】
制御装置６０Ａは、振動検知部５０Ａの検知信号に基づいて、ドラム３０Ａの駆動などを制御する。【００１２】
そして、制御装置６０Ａは、図１２に示すように、少なくともマイクロコンピュータ５０３、モータ制御回路５０４、表示パネル回路５０５、電源回路５０７などから構成されている。マイクロコンピュータ５０３は、さらに、衣類の偏りなどを算出する、アンバランス量検知部５０８と、アンバランス位置検知部５０９などを備えている。マイクロコンピュータ５０３は、洗濯槽２０Ａの振動を検知する振動検知部５０Ａからの信号をフィルタ回路５０２を介して信号成分のみを取り込んで演算する。このとき、アンバランス量検知部５０８でアンバランス量を算出し、アンバランス位置検知部５０９でアンバランス位置の算出を行う。モータ制御回路５０４は、振動検知部５０Ａで検知した振動変位に基づいて、モータ４０Ａを駆動制御する。これにより、偏った衣類などのアンバランス状態を解消するように、ドラム３０Ａの回転を制御している。【００１３】
より詳しくは、従来のドラム式洗濯機は、ドラム３０Ａの回転数を３００ｒｐｍに維持した状態で、振動検知部５０Ａで振動変位を検出する。その後、検知した３軸方向の検知信号に対して、それぞれの信号値の比率を求める。そして、求めた比率とその順位から、アンバランス位置検知部５０９でアンバランス位置を特定する。さらに、アンバランス位置毎のアンバランス量から、アンバランス量検知部５０８で、アンバランス量を算出する。これにより、制御装置６０Ａは、モータ４０Ａの回転を制御して、衣類のアンバランス状態を解消している。【００１４】
しかしながら、従来のドラム式洗濯機の構成では、ドラム３０Ａ内の洗濯物の偏りによるアンバランス位置およびアンバランス量を、ドラム３０Ａの回転数を３００ｒｐｍに維持した状態で、振動検知部５０Ａで検知した振動変位から検出している。上述したように、通常、ドラム式洗濯機の共振回転数は、２００ｒｐｍから４００ｒｐｍ程度である。そのため、脱水ステップの起動時においては、共振点（共振回転数）近傍でドラム３０Ａの振動を検出することになる。【００１５】
従って、脱水ステップの起動時には、共振点でのドラム３０Ａの振動が大きくなるため、ドラム３０Ａを回転起動できないことがある。そのため、アンバランス量およびアンバランス位置を特定できない場合がある。このとき、ドラム３０Ａの回転起動時において、共振点でのドラム３０Ａの振動変位が一定以下の条件の場合であれば、振動変位の検出が可能である。しかし、常に、共振点でのドラム３０Ａの振動変位が一定以下であるとは限らない。そのため、脱水ステップの起動が可能かどうかを、正確に検出できないという課題がある。そこで、脱水ステップにおいて、回転数を３００ｒｐｍまで上昇させようとして、アンバランス量およびアンバランス位置が特定できない場合には、一旦、ドラム３０Ａの回転を停止して、再び脱水ステップの起動を繰り返すなど、起動のやり直しなどにより対応していた。【００１６】
また、従来のドラム式洗濯機では、衣類のアンバランス状態において、例えばアンバランス量が同じ４００ｇの場合でも、衣類の容量が、例えば１ｋｇ、３ｋｇ、６ｋｇ、９ｋｇなど、どのような容量であっても、起動のやり直しが起こりうる。つまり、衣類の容量が変わることにより、ドラム３０Ａの回転時における重量が変わる。そのため、同じアンバランス状態でも、振動の度合いが変化し、起動のやり直しが発生するという課題もある。
【先行技術文献】
【特許文献】
【００１７】
【特許文献１】特開２０１１−０３０９７２号公報
【発明の概要】
【００１８】
本発明は、脱水起動時に、ドラムの振動を抑制して、起動をスムーズに行うことにより、脱水ステップの起動のやり直しの発生を低減できるドラム式洗濯機を提供する。
【００１９】
そこで、本発明のドラム式洗濯機は、筐体と、筐体の内部に支持された洗濯槽と、洗濯槽内に回転可能に収納された回転槽と、回転槽を回転駆動する駆動部と、回転槽に設けた回転体制御装置と、洗濯槽に設けた振動検知部と、回転槽内の布量を算出する布量検知部と、振動検知部からの出力に基づいて駆動部を制御する制御部と、を備える。制御部は、振動検知部で検知した振動変位と布量検知部で検知した布量とに基づいて、脱水起動時に回転体制御装置を制御する構成を有する。
【００２０】
これにより、回転槽を構成するドラム内の洗濯物のアンバランス状態（アンバランス位置およびアンバランス量など）が同じ状態で、かつ回転槽内の布量が異なる場合でも、布量と振動検知部で振動を計測して、アンバランス状態を共振回転数前に正確に把握する。そして、衣類のアンバランス状態（アンバランス量とアンバランス位置）に応じて回転体制御装置を制御することにより、洗濯槽の振動を抑制できる。その結果、起動の再立ち上げなどを繰り返す動作の発生を効果的に防止でき、脱水起動時の安定した動作ができる。
【図面の簡単な説明】
【００２１】
【図１】図１は、本発明の実施の形態１におけるドラム式洗濯機の構成図である。
【図２】図２は、同ドラム式洗濯機の制御ブロック図である。
【図３Ａ】図３Ａは、同ドラム式洗濯機の回転槽の円周方向の洗濯物のアンバランス状態を示す正面図である。
【図３Ｂ】図３Ｂは、同ドラム式洗濯機の回転槽の奥行き方向における前側のアンバランス状態を示す側面図である。
【図３Ｃ】図３Ｃは、同ドラム式洗濯機の回転槽の奥行き方向における後側のアンバランス状態を示す側面図である。
【図３Ｄ】図３Ｄは、同ドラム式洗濯機の回転槽の奥行き方向における中央側のアンバランス状態を示す側面図である。
【図３Ｅ】図３Ｅは、同ドラム式洗濯機の回転槽の奥行き方向における対角のアンバランス状態を示す側面図である。
【図４】図４は、同ドラム式洗濯機における洗濯物がアンバランス状態にあるときのモータの電流値の変化を示す図である。
【図５】図５は、同ドラム式洗濯機のアンバランス量と振動検知部で検知した左右振動変位との関係を、衣類容量をパラメータとして示す相関図である。
【図６】図６は、同ドラム式洗濯機のアンバランス位置と振動検知部で検知した前後振動変位との関係を、アンバランス量をパラメータとして示す相関図である。
【図７Ａ】図７Ａは、従来の流体バランサを設けたドラム式洗濯機のドラムを回転した場合の左右振動変位の出力波形を示す図である。
【図７Ｂ】図７Ｂは、本発明の実施の形態の回転体制御装置（ボールバランサ）を搭載したドラム式洗濯機のドラムを回転した場合の左右振動変位の出力波形を示す図である。
【図８】図８は、本発明の実施の形態２におけるドラム式洗濯機の制御ブロック図である。
【図９】図９は、同ドラム式洗濯機のアンバランス量と振動検知部で検知した左右振動変位との関係を、温度をパラメータとして示す相関図である。
【図１０】図１０は、同ドラム式洗濯機のアンバランス位置と振動検知部で検知した前後振動変位との関係を、アンバランス量をパラメータとして示す相関図である。
【図１１】図１１は、従来のドラム式洗濯機の構成図である。
【図１２】図１２は、従来のドラム式洗濯機の制御ブロック図である。
【発明を実施するための形態】
【００２２】
以下に、本発明の実施の形態について、図面を参照しながら説明する。なお、実施の形態によって本発明が限定されるものではない。
【００２３】
（実施の形態１）
以下に、本発明の実施の形態１におけるドラム式洗濯機について、図１および図２を用いて説明する。
【００２４】
図１は、本発明の実施の形態１におけるドラム式洗濯機の構成図である。図２は、同ドラム式洗濯機の制御ブロック図である。
【００２５】
図１および図２に示すように、本実施の形態のドラム式洗濯機は、少なくとも筐体を構成するドラム式洗濯機本体１と、ドラム式洗濯機本体１内に収容される洗濯槽２２、回転槽を構成するドラム３、モータ１２、回転体制御装置を構成するボールバランサ８、振動センサなどで構成される振動検知部１０、制御部１３などから構成されている。
【００２６】
洗濯槽２２は、内部に回転槽を構成するドラム３を収容し、ダンパ１９で、筐体を構成するドラム式洗濯機本体１に支えられている。ドラム３は、洗濯物１８を収納する。ドラム３の内周壁には、例えば３枚で構成されるバッフル７が設けられ、ドラム３の回転時に洗濯物１８を持ち上げて撹拌をする。なお、ドラム３は、例えば水平軸または傾斜回転軸を備え、洗濯槽２２内に回転可能に収容されている。
【００２７】
また、回転体制御装置を構成するボールバランサ８は、ドラム３の正面側の洗濯物投入口側に設けられている。ボールバランサ８は、内部に複数のボール９（例えば、鉄玉）および、例えば粘性１００ｃｓで温度特性を有する所定の粘性のオイル（例えば、シリコーンオイル）が封じ込められている。そして、ボールバランサ８は、ドラム３と一緒に回転し、ボールバランサ８内に、例えば一列に並んだボール９が内部のオイルの粘性により自由に回転方向に移動できる構成を備えている。
【００２８】
また、振動検知部１０は、洗濯槽２２の正面側（前面側）上部に設けられ、例えば３軸などの多軸方向の振動を検知する。具体的には、振動検知部１０は、洗濯槽２２の上部の左右方向の振動変位（左右振動変位）、前後方向の振動変位（前後振動変位）、上下方向の振動変位（上下振動変位）を検知する。そして、制御部１３は、振動検知部１０で検知した各方向の振動変位の大きさに基づいて、ドラム３の回転数を上昇または停止、維持などを判断して制御する。
【００２９】
また、ドラム３の背面側には、ドラム３と同一軸に設けたドラムプーリ４が設けられている。そして、ドラム３は、モータプーリ５からベルト６を介してドラムプーリ４にモータ１２の駆動が伝達されて回転する。
【００３０】
また、モータ１２は、モータ１２のロータ位置を検出するロータ位置検出部１５を備えている。ロータ位置検出部１５は、モータ１２のロータ位置を検出して、制御部１３の回転制御部１３２に信号を伝達する。回転制御部１３２は、ロータ位置の信号に基づいて、駆動部１３３を介してモータ１２の回転駆動を制御する。なお、モータ１２は、例えば永久磁石同期モータで構成される。そして、モータ１２のロータ位置をロータ位置検出部１５で検出して、制御部１３の回転制御部１３２に入力する。これにより、モータ１２が脱調することなく回転制御される。
【００３１】
また、図２に示すように、ドラム式洗濯機本体１の駆動制御を行う制御部１３は、起動判定部１３１と、上述した回転制御部１３２などを有している。起動判定部１３１は、電流検知部１０１と、布量検知部１０２と、回転位置検知部１０３と、布量補正部１０４と、アンバランス位置算出部３０と、アンバランス量算出部３１などから構成されている。電流検知部１０１は、モータ１２に流れる電流を検出する。回転位置検知部１０３は、電流検知部１０１で検知する電流の変化から洗濯物１８の偏りによるドラム３内の円周方向のアンバランス位置を検出する。アンバランス量算出部３１は、振動検知部１０で検知する左右振動変位からドラム３内の洗濯物１８のアンバランス量を検知する。アンバランス位置算出部３０は、アンバランス量算出部３１で算出したアンバランス量に基づいて、振動検知部１０で検知する前後振動変位からドラム３の奥行き方向における洗濯物１８のアンバランス位置を算出する。布量検知部１０２は、ドラム３内の洗濯物１８の容量などの布量を検知する。布量補正部１０４は、布量検知部１０２で検知した布量から、振動検知部１０で検知した振動変位の値を補正する。
【００３２】
また、制御部１３の回転制御部１３２は、上述したように、内部にモータ１２を駆動する駆動部１３３を備えている。駆動部１３３は、ロータ位置検出部１５で検出したモータ１２のロータ位置の信号に同期させて、モータ１２を駆動する。
【００３３】
そして、モータ１２は、図１に示す減速機構を構成するモータプーリ５、ベルト６およびドラムプーリ４を介して、ドラム３を回転させる。このとき、ドラム３の回転により発生する洗濯槽２２の振動変位を振動検知部１０で検知する。
【００３４】
以下に、本実施の形態のドラム式洗濯機において、ドラム３の回転にともなって発生する洗濯物１８のアンバランス状態について、図３Ａから図４を用いて具体的に説明する。
【００３５】
図３Ａは、同ドラム式洗濯機の回転槽の円周方向の洗濯物のアンバランス状態を示す正面図である。図３Ｂは、同ドラム式洗濯機の回転槽の奥行き方向における前側のアンバランス状態を示す側面図である。図３Ｃは、同ドラム式洗濯機の回転槽の奥行き方向における後側のアンバランス状態を示す側面図である。図３Ｄは、同ドラム式洗濯機の回転槽の奥行き方向における中央側のアンバランス状態を示す側面図である。図３Ｅは、同ドラム式洗濯機の回転槽の奥行き方向における対角のアンバランス状態を示す側面図である。
【００３６】
なお、図３Ａは、洗濯物１８がドラム３の内壁に張り付いた状態でアンバランス位置Ａが発生している状態を正面から見た図で示している。図３Ｂは、洗濯物１８のアンバランス位置Ａが前側（正面側）で発生した状態を示している。図３Ｃは、洗濯物１８のアンバランス位置Ａが後側で発生した状態を示している。図３Ｄは、洗濯物１８のアンバランス位置Ａがドラム３の中央側で発生した状態を示している。図３Ｅは、洗濯物１８のアンバランス位置Ａがドラムの対角で発生している状態を示している。
【００３７】
図４は、同ドラム式洗濯機における洗濯物がアンバランス状態にあるときのモータの電流値の変化を示す図である。具体的には、回転するドラム３内でアンバランス位置Ａが下方にあるときは、アンバランスの重量に逆らって上方に持ち上げることになる。そのため、電流を多く消費し、電流検知部１０１が検知する電流値は増加する。逆に、アンバランス位置Ａがドラム３の上部にあるときは、アンバランスの重量を重力にしたがって下方に持っていくために最少の電流消費となる。そのため、電流検知部１０１が検知する電流値は減少する。このように、ドラム３にアンバランスがあるときは、モータ１２の電流値は変動し、電流変化はアンバランス位置Ａの回転とリンクする。また、電流値はアンバランスの量に比例して大きくなる。
【００３８】
まず、図３Ａは、洗濯物１８のアンバランス位置Ａが、矢印で示すドラム３の円周方向に回転し、ドラム３の外周に設けられた回転体制御装置を構成するボールバランサ８内のボール９が底部に偏っている状態を示している。図４は、その回転状態でのモータ１２の電流値の変化を示している。これは、洗濯物１８がドラム３の内壁に張り付く最低回転数以上で、かつボールバランサ８内のボール９がドラム３の回転とともに回転しない最大回転数以下で、ドラム３が回転している状態を示している。具体的には、最低回転数は、例えば約６０ｒｐｍから７０ｒｐｍで、洗濯物１８にかかる重力とドラム３の遠心力が均衡する回転数に相当する。一方、最大回転数は、通常、オイルの粘性とボール９の重量に依存するが、ボールバランサ８内に封じ込められた所定の粘性を有するオイルによりボール９が底部に偏る、例えば約８０ｒｐｍの回転数に相当する。そのため、上記状態の場合、８０ｒｐｍ以上でドラム３が回転すると、ドラム３の回転より遅れて、ボール９が、ボールバランサ８内を回転移動することになる。
【００３９】
そして、図３Ａに示す状態において、ドラム３内の洗濯物１８が回転した場合、アンバランス位置Ａのみがアンバランス状態として、電流検知部１０１により、図４に示すようなモータ１２の電流値の変化として検出される。つまり、図４は、洗濯物１８のアンバランス位置Ａがドラム３の最底部から最上部へ移動すると、モータ１２を駆動する電流値が、ドラム３の回転周期に同期して最小電流値ｂから最大電流値ａへの変化（電流差分ｄ）として検出できることを示している。これにより、同じ回転数でドラム３を駆動する間中、回転数に同期した繰り返し周期ｃで、電流検知部１０１により、モータ１２の電流値の変化として検出される。
【００４０】
しかし、通常、実際の洗濯物１８の位置により、アンバランス位置Ａは複雑に変化する。具体的には、図３Ｂから図３Ｅに示すように、大きく４つに分類できる。例えば、図３Ｂのように、ドラム３の奥行き方向（前後方向）において、アンバランス位置Ａがドラム３の前方にある場合や、図３Ｃに示すように、アンバランス位置Ａが後側にある場合などがある。また、図３Ｄのように、アンバランス位置Ａがドラム３の中央側（中間位置）にある場合や、図３Ｅに示すように、アンバランス位置Ａがドラム３の前側と後側の対角位置（例えば、１８０度）にある場合がある。
【００４１】
なお、図３Ａに示す状態において、ドラム３内の衣類容量（布量）が変化する場合、以下のことが実験値から得られている。例えば、衣類容量が増加すると、ドラム３の質量の増加により慣性が大きくなるため、ドラム３の振動変位の値が安定する。一方、衣類容量が少なくなるに従って、ドラム３の質量が小さくなるため、ドラム３の振動変位の値が大きくなる。つまり、衣類容量により、ドラム３の回転にともなって発生する振動変位が変化することが実験値から示されている。
【００４２】
そのため、図４で説明したモータ１２を駆動する電流値の変化だけでは、衣類容量の変化によるアンバランス位置やアンバランス量などの多様なアンバランス状態を、正確に把握して、制御することが困難である。
【００４３】
そこで、本実施の形態では、衣類容量の変化によるアンバランス位置およびアンバランス量などの多様なアンバランス状態を、振動検知部１０で検知して、制御している。この制御においては、まず、衣類容量の変化による振動変位とアンバランス状態（アンバランス量およびアンバランス位置）との関係を図５と図６のように実験的に測定する。そして、実験的に測定された結果を利用して、実際の運転時の衣類容量に応じてアンバランス状態をより正確に検知して制御している。
【００４４】
以下に、本実施の形態のドラム式洗濯機において、アンバランス状態を検知する方法について、図５および図６を用いて、説明する。
【００４５】
図５は、同ドラム式洗濯機のアンバランス量と振動検知部で検知した左右振動変位との関係を、衣類容量をパラメータとして示す相関図である。詳細には、図中のＳ１は、衣類容量が小容量の場合における、アンバランス量と左右振動変位との関係を示している。同様に、Ｓ２は衣類容量が中容量の場合、Ｓ３は衣類容量が大容量の場合の関係を示している。なお、特に限定するものではないが、本実施の形態では、小容量は大容量の２０％、中容量は大容量の６０％、大容量は定格容量、の衣類容量としている。また、容量の区分は３つに限られるものではなく、区分が多いほどアンバランス状態を正確に把握できる。
【００４６】
さらに、図中のＳ１１は、アンバランス量が５００ｇにおける、衣類容量が小容量の場合のＳ１上の左右振動変位を示している。同様に、Ｓ２１は衣類容量が中容量の場合、Ｓ３１は衣類容量が大容量の場合の、Ｓ２およびＳ３上の左右振動変位を示している。
【００４７】
また、図６は、同ドラム式洗濯機のアンバランス位置と振動検知部で検知した前後振動変位との関係を、アンバランス量をパラメータとして示す相関図である。詳細には、図中のＺ１からＺ７は、衣類容量が小容量の場合の１００ｇから２０００ｇに相当する各アンバランス量を示している。そして、図中のＣ１は、衣類容量が小容量の場合のアンバランス量が５００ｇにおける、アンバランス位置と前後振動変位との関係を示している。同様に、Ｃ２は衣類容量が中容量の場合、Ｃ３は衣類容量が大容量の場合の、アンバランス量が５００ｇにおける、アンバランス位置と前後振動変位との関係を示している。なお、衣類容量が中容量と大容量で、アンバランス量が５００ｇの場合以外の相関図は記載していない。
【００４８】
さらに、図中のＣ１１は、アンバランス量が５００ｇにおいて、衣類容量が小容量でアンバランス位置が「前中」の場合の、Ｃ１上の前後振動変位を示している。同様に、Ｃ２１は衣類容量が中容量の場合、Ｃ３１は衣類容量が大容量の場合の、Ｃ２およびＣ３上のアンバランス位置が「前中」における前後振動変位を示している。
【００４９】
このとき、図５は、振動検知部１０で検知した左右振動変位とアンバランス量との関係が、以下の条件でドラム３を駆動した場合、アンバランス位置Ａが図３Ｂから図３Ｅに示す位置関係に関わらず、相関関係にあることを示している。条件は、ドラム３をボールバランサ８のボール９が底部に固定されずに回転する回転数を、例えば９０ｒｐｍから１５０ｒｐｍの範囲で維持した状態で、左右振動変位とアンバランス量を検知した場合である。この回転数は、ドラム３の共振回転数より低く、アンバランス状態の検知に都合が良い。
【００５０】
なお、本実施の形態では、回転数を１２０ｒｐｍで維持した状態で、衣類容量毎に左右振動変位とアンバランス量の関係を実験的に測定した結果を、図５に示している。同様に、回転数を１２０ｒｐｍで維持した状態で、衣類容量が小容量においてアンバランス量毎に前後振動変位とアンバランス位置の関係を実験的に測定した結果を、図６に示している。
【００５１】
ここで、図５と図６を得る具体的な測定方法について説明する。まず、例えばドラム３の内壁面に、衣類容量に相当する重りを均等に配置する。つぎに、アンバランス量に相当する重り（例えば、５００ｇなど）を、所定のアンバランス位置に配置した状態で、ドラム３を回転駆動する。そして、上記状態でドラム３を回転させたときに発生する左右振動変位や前後振動変位を検知し、図５や図６にプロットしている。
【００５２】
以下に、図５において、左右振動変位とアンバランス量との関係が、アンバランス位置Ａが図３Ｂから図３Ｅに示す奥行き方向の位置関係に関わらず、相関関係にある理由について説明する。
【００５３】
まず、ドラム３の回転軸が洗濯槽２２の背面側を軸に支持固定され、振動検知部１０を軸から離れた距離にある前側の上部に設けている。そのため、ドラム３の奥行き方向のアンバランス位置に前後振動変位および上下振動変位は影響されるが、左右振動変位への影響は小さい。つまり、奥行き方向のアンバランス位置に、左右振動変位は、影響されない。これにより、アンバランス量と左右振動変位との関係を、精度よく得ることができる。
【００５４】
一方、左右振動変位は、上述したように、ドラム３の内部に収容される衣類容量の増減により影響を受ける。つまり、衣類容量の増加によりドラム３全体の重量が増加すると、振動の始まりには重量による慣性が振動を抑制する方向に働く。そこで、図５には、布量検知部１０２で洗濯前（例えば、洗濯水を供給する前）に検知した衣類容量から、小容量時の左右振動変位とアンバランス量との関係をＳ１で示し、同様に、中容量時の関係をＳ２で、大容量時の関係をＳ３で示している。
【００５５】
具体的には、例えば衣類容量が小容量時において、振動検知部１０で検知した左右振動変位が３．０ｍｍの場合、Ｓ１上のＳ１１から、アンバランス量が５００ｇであることを示している。これに対して、アンバランス量が５００ｇで同じであれば、中容量時においては、Ｓ２上のＳ２１から左右振動変位が１．０ｍｍと小さくなり、大容量時においては、Ｓ３上のＳ３１から左右振動変位が０．８ｍｍとさらに小さくなる。従って、衣類容量を小容量とすると、左右振動変位が１．０ｍｍの場合、Ｓ１からアンバランス量が４００ｇであると示される。さらに、左右振動変位が０．８ｍｍの場合、Ｓ１からアンバランス量が３００ｇであると示される。つまり、アンバランス量が同じ場合でも、上述したように、衣類容量により左右振動変位が異なる。その結果、左右振動変位だけでアンバランス量を判断すると、図２に示す制御部１３の起動判定部１３１は、アンバランス量を誤判定し、起動方法を誤る可能性がある。
【００５６】
また、図６に示す前後振動変位とアンバランス位置との関係から、図中にＺ１からＺ７で示すアンバランス量毎の特性を用いて、ドラム３の奥行き方向におけるアンバランス位置を算出することができる。なお、図６に示す、洗濯槽２２の前後振動変位と、アンバランス量毎のアンバランス位置を示す関係は、上述したように実験的に得られたデータである。
【００５７】
つまり、振動検知部１０の前後変位は、以下の条件でドラム３を駆動した場合、アンバランス量毎にドラム３の奥行き方向のアンバランス位置により前後振動変位として検出できる。条件は、ドラム３をボールバランサ８のボール９が底部に固定されずに回転する回転数、例えば９０ｒｐｍから１５０ｒｐｍの範囲を維持した状態で、ドラム３を回転させる場合である。なお、本実施の形態では、回転数を１２０ｒｐｍで維持した状態で、前後振動変位とアンバランス位置との関係を実験的に測定しており、図６では、上述したように、アンバランス量が５００ｇの場合を除いて、衣類容量が小容量の場合のみを示している。
【００５８】
ここで、前後振動変位を検出できる理由は、まず、ドラム３の回転軸が洗濯槽２２の後方部を軸として支持され、軸から離れた前方上部の位置に振動検知部１０を設けている。これにより、アンバランス量を示す左右振動は明確に現れる。そして、アンバランス位置の違いを示す前後振動は、アンバランス位置がドラム３内の軸側にある場合は小さく、前側にある場合は大きくなる。そのため、振動検知部１０で検知される前後振動変位に、ドラム３の奥行き方向のアンバランス位置を示す特性が表れる。つまり、ドラム３の奥行き方向のアンバランス位置を、実験結果から得られた図６を用いて判定できる。
【００５９】
具体的には、例えば布量検知部１０２で検知した衣類容量が小容量の場合、左右振動変位が３．０ｍｍで、前後振動変位が１．０ｍｍであれば、図５のＳ１１からアンバランス量は５００ｇと読み取れる。そして、読み取ったアンバランス量を図６のＣ１１に当てはめることにより、アンバランス位置が「前中」にあることを検知できる。
【００６０】
このようにして、例えばアンバランス量は５００ｇとして、衣類容量が中容量の場合、前後変位が０．９ｍｍと計測されると、中容量時の特性を示すＣ２から前後のアンバランス位置がＣ２１と示される。さらに、衣類容量が大容量の場合、前後振動変位が０．８ｍｍと計測されると、大容量時の特性を示すＣ３から前後のアンバランス位置がＣ３１と示される。つまり、衣類容量と前後振動変位の値が変化しても、いずれもアンバランス位置を、「前中」と判定することができる。
【００６１】
このように、図５と図６のような関係を実験により得られた値から補正式（近似式）として布量補正部１０４で把握しておく。これにより、布量検知部１０２で検知した衣類容量と、振動検知部１０で検知される左右振動変位と前後振動変位とから、アンバランス量とアンバランス位置を正確に算出して、適切な起動制御を行うことができる。なお、布類容量やアンバランス量の実験では得られていない詳細な値に対しても、布量補正部１０４の補正式により補完して算出することが可能である。
【００６２】
また、図５および図６を得る場合において、例えば衣類容量が小容量の場合のみ実験を行って相関図を把握する。そして、中容量や大容量については、小容量の相関図を基準にして、布量による補正を布量補正部１０４で行うようにしてもよい。もちろん、基準とする衣類容量は、特に限定されるものではない。ここで、図６が小容量の場合のみ実験を行った相関図である場合を示す。
【００６３】
例えば、布量検知部１０２で検知した衣類容量が大容量の場合、左右振動変位が０．８ｍｍで、前後振動変位が１．０ｍｍであれば、図５の大容量のＳ３１からアンバランス量は５００ｇと読み取れる。そして、読み取ったアンバランス量を図６の小容量の衣類のアンバランス量がＺ４（５００ｇ）に当てはめる。この場合、そのままではアンバランス位置が「前中」にあることを検知できるが、これは小容量の実験値を基に検知した結果である。そこで、例えば関連する実験値などから、大容量時の特性を示すＣ３となるように補正値を決めておくとする。このＣ３で前後振動変位が１．０ｍｍとなるのはＣ３２に示され、アンバランス位置がほぼ「前」にあることを検知できる。しかし、上記と同様の条件において、衣類容量の補正を行わない場合、衣類容量を振動検知部１０の振動変位の値通りに小容量で判定すると、図６のＣ１からアンバランス位置を判定することになる。その結果、アンバランス位置を誤ってしまうこととなる。
【００６４】
このようにして、本実施の形態では、布量検知部１０２で検知した衣類容量毎に、例えばＺ４に示すアンバランス量５００ｇの場合のＣ１を、図６に示すＣ２およびＣ３のように布量補正部１０４で補正を行う。これにより、例えば衣類容量が小容量の場合、振動検知部１０で前後振動変位が１．０ｍｍと計測されると、小容量時の特性を示すＣ１から前後位置がＣ１１と示される。また、衣類容量が中容量の場合、前後変位が０．９ｍｍと計測されると、中容量時の特性を示すＣ２から前後のアンバランス位置がＣ２１と示される。さらに、衣類容量が大容量の場合、前後振動変位が０．８ｍｍと計測されると、大容量時の特性を示すＣ３から前後のアンバランス位置がＣ３１と示される。つまり、衣類容量を布量補正部１０４で補正することにより、振動検知部１０で検知した前後振動変位の値が変化しても、いずれもアンバランス位置を、「前中」と判定することができる。なお、衣類容量が増加すると振動を抑制する方向になる特性が、それぞれの衣類のアンバランス量に応じて、同様に表れることは実験値から確認している。
【００６５】
以下に、本実施の形態のドラム式洗濯機に用いる回転体制御装置であるボールバランサと従来の流体バランサの特性を、図７Ａおよび図７Ｂを用いて、比較して説明する。
【００６６】
図７Ａは、従来の流体バランサを設けたドラム式洗濯機のドラムを回転した場合の左右振動変位の出力波形を示す図である。図７Ｂは、本発明の実施の形態の回転体制御装置（ボールバランサ）を搭載したドラム式洗濯機のドラムを回転した場合の左右振動変位の出力波形を示す図である。なお、図中に示すＴＨ１およびＴＨ２は、１２０ｒｐｍで回転するドラム３が４回転する時間を示している。
【００６７】
まず、図７Ａに示すように、従来のドラム式洗濯機は、バランサ機能としてドラムの前方の円周上に設けた流体バランサ（バランサ内部に液体を封入）を用いている。このとき、ドラムを回転数１２０ｒｐｍ（例えば、９０ｒｐｍから１５０ｒｐｍの範囲内）に維持した状態で回転した場合、流体バランサ内の液体は、常に移動し、時間とともに拡散や偏りを生じる。そのため、振動検知部で検知される左右振動変位は、波形Ｈ１に示すように、ドラムの回転に非同期かつ偏りが一定でないために左右振動変位が一定でなく上昇し、左右振動変位が常に変わる状態を示す。つまり、従来の流体バランサでは、常に同じ状態の左右振動変位にならず、変動幅や変化の度合いが決められない状態で左右振動変位が検出される。その結果、制御部は、洗濯槽の本当の左右振動変位を算出することが難しい。
【００６８】
一方、図７Ｂに示すように、本実施の形態のドラム式洗濯機は、ボールバランサ８を搭載している。この場合、洗濯槽２２の前方上部に設けた振動検知部１０の左右振動変位は、ドラム３を回転数１２０ｒｐｍ（例えば、９０ｒｐｍから１５０ｒｐｍの範囲内）に維持した状態で回転した場合、所定の粘性を持ったオイルにより、ボールバランサ８内のボール９は、ほぼ一定の位置に偏る状態となる。これにより、ボールバランサ８内のボール９は、ドラム３の回転数より、ほぼ一定回転数遅れた回転数で回転する。そのため、図７Ｂの波形Ｈ２に示すように、左右振動変位は、一定の振幅範囲でドラム３の回転周期に同期して変動する。
【００６９】
従って、ボールバランサ８を用いた場合、ドラム３の回転数とボール９の回転数が一定の回転数遅れた状態で回転する。そのため、洗濯槽２２の左右振動変位は、洗濯物１８のアンバランス位置Ａとボール９の偏りとが打ち消しあう状態や重なり合う状態を、一定周期で繰り返す。これにより、洗濯槽２２の左右振動変位は、一定の変動周期と一定の振幅変動で検出される。その結果、ボールバランサ８を用いた場合、振動検知部１０は、一定の振動周期と一定の振幅変動の範囲から、左右振動変位の値を容易に検知できる。
【００７０】
このとき、上述したように、衣類容量が増加すると、衣類の慣性により振動を抑制する方向になる特性から、左右振動変位の振幅値は大容量時に小さく、小容量時に大きくなる。しかし、左右振動変位の繰り返し動作は、上記と同様の動作を示す。つまり、衣類容量が変化する場合でも、正確に左右振動変位を検出することが可能となる。ここで、一般的に、左右振動変位は、例えば最大変位と最小変位との差分を平均することにより算出される。このとき、ボールバランサ８内のボール９は、アンバランスの円周方向位置と重なる位置に移動すると振動変位をより大きくし、アンバランスの円周方向位置と対向する位置に移動すると振動変位をより小さくするように作用する。従って、最大変位と最小変位との差分に対するボール９の影響は、相殺されて問題ない。なお、本実施の形態では、１２０ｒｐｍで回転するドラム３の回転期間で検出する左右振動変位の平均を算出して、左右振動変位の真値を算出している。この回転数は、共振回転数から離れた９０ｒｐｍから１５０ｒｐｍの範囲内であれば問題ない。特に、１２０ｒｐｍ近傍ではボールバランサ８内のボール９の挙動がより安定しており、左右振動変位の検出精度を向上できる。
【００７１】
なお、本実施の形態では、振動検知部１０として、３軸などの多軸方向の振動変位を検知する振動センサを例に説明したが、これに限られない。例えば、加速度センサで構成してもよい。つまり、加速度から演算により変位を算出する場合でも、同様に、左右振動変位を検出できる。加速度センサは、半導体加速度センサ、圧電型加速度センサなどのいずれでもよい。また、３軸方向のセンサ以外に、２軸のセンサや、１軸のセンサを組み合わせて検出することも可能である。
【００７２】
以上のように、本実施の形態のドラム式洗濯機が構成されている。
【００７３】
以下に、本実施の形態におけるドラム式洗濯機の動作および作用について、図１から図７Ｂを参照しながら説明する。
【００７４】
まず、本実施の形態のドラム式洗濯機本体１は、洗濯ステップ前、例えば洗濯水を給水する前に、ドラム３を動作させて、ドラム３内に収容されている洗濯物１８の量を布量検知部１０２で判定する。これにより、制御部１３は、測定された布量に基づいて、洗濯時間や洗剤量を算出して表示する。同時に、脱水ステップ前に、洗濯物１８のアンバランス状態（アンバランス量およびアンバランス位置）を把握する。なお、把握したアンバランス状態は、衣類容量における補正に利用する。
【００７５】
つぎに、洗いステップおよびすすぎステップが終了後、洗濯槽２２内部の洗濯水を排水する。そして、洗濯物１８を脱水する脱水ステップを行う。しかし、脱水ステップを行う場合、洗濯物１８がドラム３内部に均一の状態に位置していることは、ほとんどない。つまり、洗濯物１８は、例えばドラム３の底部に偏るなど、ほとんどアンバランス状態で配置されている。
【００７６】
そこで、通常、上記アンバランス状態を解消するため、洗濯水を排水後に、ドラム３をゆっくり回転させる。これにより、偏った洗濯物１８の塊をほぐして、アンバランス状態をできる限り解消している。しかし、ほぐし動作を行っても、水分を含んだ洗濯物１８は、重力により、必ずドラム３内の底部に偏る傾向がある。そのため、アンバランス状態が残った状態で、脱水ステップを開始することになる。
【００７７】
そして、脱水ステップにおいて、ドラム式洗濯機本体１の洗濯槽２２が、ドラム３が共振回転数（例えば、２００ｒｐｍから４００ｒｐｍの間）を通過する際に大きく振動して、規定の振動変位を超える場合には、制御部１３はドラム３の回転を停止する。その後、制御部１３は、再度、洗濯物１８の偏りを解消するために、ドラム３をゆっくり回転させて、洗濯物１８のほぐしステップを行う。そして、制御部１３は、再度、脱水ステップの起動を行う。
【００７８】
しかし、通常、ドラム３の共振回転数時には、洗濯物１８の偏り（アンバランス状態）により、ドラム３は、少なくともゼロ（無負荷）以外の状態にあるため、必ず洗濯槽２２に振動が発生する。
【００７９】
そこで、本実施の形態では、振動を抑制して脱水起動を成功させるために、まず、ドラム３を共振回転数より低い回転数（例えば、１２０ｒｐｍ）で回転させる。その状態で、ドラム３の前方上部の洗濯槽２２に設けた振動検知部１０で、左右振動変位や前後振動変位などを測定する。そして、検知した各振動変位から洗濯物１８のアンバランス量および奥行き方向のアンバランス位置を判定する。さらに、判定したアンバランス量およびアンバランス位置のアンバランス状態に基づいて、共振回転数までのドラム３の立ち上げ方法を決定し、ボールバランサ８を制御する。これにより、ボールバランサ８内の最適な位置にボール９を配置して、ドラム３が共振回転数を通過するときの振動を抑制する。
【００８０】
ここで、上記のボールバランサ８内での最適なボール９の配置とは、例えばアンバランス状態のアンバランス量が大きい場合やドラム３の前方に洗濯物１８が位置している場合、アンバランス状態に対向する位置にボール９を偏るように配置する対向状態とすることである。あるいは、アンバランス量が小さい場合やドラム３の後方に洗濯物１８が位置している場合には、ドラム３の回転数や加速度を増減させ、ボール９をボールバランサ８の円周方向にほぼ均等（均等を含む）に配置して、小さいアンバランス量に見合ったボール９の偏りが小さい状態で配置する分散状態とすることである。これらにより、ドラム３内の洗濯物１８の偏りに対して、ボールバランサ８内のボール９の最適配置を行う。そして、ドラム３が共振回転数を通過する場合に発生する振動を抑制して、安定した起動動作を実現している。
【００８１】
さらに、対向状態に制御する対向起動と、分散状態に制御する分散起動について、ドラム３の回転数の立ち上げ方の一例について、以下で説明する。
【００８２】
対向起動を行うときには、例えばドラム３の回転数を１２０ｒｐｍから７０ｒｐｍに低下させ、そのときのモータ１２の電流値を確認する。この場合、電流値は、図４で示すように規則的に変動している。そこで、ボール９がアンバランス位置と対向状態となる電流の最小値を見計らって、ドラム３の回転数を一気に増加させ、共振回転数を通過させる。なお、一気に増加させるタイミングは、条件により異なるので、実験により最適なタイミングを決定する。
【００８３】
また、分散起動を行うときには、例えば、１２０ｒｐｍと９０ｒｐｍを一定時間で繰り返す。または、その回転数の範囲で加速と減速を繰り返す。これにより、ボール９は移動度合いが不均一になり、分散する。なお、回転数の変化については、実験で決定してもよいし、モータ１２の電流値の変化を確認しながら制御してもよい。そして、電流値が大きくならないことを確認しながら、ドラム３の回転数を増加させ、共振回転数を通過させる。
【００８４】
以下に、本実施の形態におけるドラム３が共振回転数を通過する際に発生する振動を抑制する、脱水時の起動動作について、説明する。
【００８５】
脱水ステップでは、制御部１３は、回転制御部１３２の指令により、駆動部１３３を介してモータ１２に駆動電圧を印加する。これにより、モータ１２を徐々に低速回転から高速回転に動作させ、ドラム３の回転速度を徐々に上昇させる。
【００８６】
つぎに、制御部１３の回転制御部１３２は、ドラム３の回転数が約１２０ｒｐｍとなるように、モータ１２を制御し、その状態を維持する。そして、ドラム３が約１２０ｒｐｍで回転する状態で、ドラム３の前方上部の洗濯槽２２に設けた振動検知部１０で、洗濯槽２２の左右振動変位および前後振動変位を検出する。このとき、ドラム３の回転数は、共振回転数以下であるため、安定した振動変位で検出できる。また、ボールバランサ８の内部のボール９は、オイルの粘性により一ヶ所に偏った状態で、ドラム３の回転数と非同期で、かつ一定回転数遅れた状態で回転する。これにより、図７Ｂの波形Ｈ２に示すような、一定の振動周期と一定の振幅変動で左右振動変位が検出される。その結果、制御部１３の起動判定部１３１は、洗濯槽２２の左右振動変位の値を平均することにより、左右振動変位の真値を容易に算出できる。
【００８７】
しかし、上記で説明したように、ドラム３内に収容される衣類容量に、振動検知部１０で検知する振動変位は、影響を受ける。具体的には、図５および図６に示すように、衣類容量が大容量時には、振動変位はＳ３およびＣ３の特性を示す。また、中容量時には振動変位は、Ｓ２およびＣ２の特性を示し、小容量時には振動変位はＳ１およびＣ１の特性を示すように影響を受ける。
【００８８】
そこで、本実施の形態では、まず、制御部１３の起動判定部１３１は、布量検知部１０２により、洗濯物１８の容量を洗濯ステップ開始前（給水前）に検出し、検出した容量に基づいて、布量補正部１０４で、例えば振動変位を補正する。具体的には、図５と図６のような関係を実験により得られた値から補正式（近似式）として把握している布量補正部１０４は、振動検知部１０で検知した振動変位を小容量時の振動の値（図５のＳ１および図６のＣ１）に、大容量時のＳ３およびＣ３、および中容量時のＳ２およびＣ２から補正を行う。そして、起動判定部１３１は、アンバランス量算出部３１およびアンバランス位置算出部３０で衣類のアンバランス状態を検出する。なお、小容量、大容量および中容量以外の容量に対する布量補正部１０４による補正は、実験値で求めた小容量、大容量および中容量時における振動変位の値から、例えば比例にあると仮定した補正式を用いて、補完して算出する。これにより、測定する実験値の数を削減して、作業性を向上できる。
【００８９】
つぎに、振動検知部１０で検知した左右振動変位の真値から、図５に示す左右振動変位とアンバランス量の相関図（具体的には、実験値より得られた小容量時を示すＳ１、中容量時を示すＳ２、大容量時を示すＳ３）を用いて、アンバランス量を算出する。例えば、衣類容量が中容量の場合、左右振動変位の真値が１．０ｍｍであれば、その時のアンバランス量は５００ｇである。また、左右振動変位が１０ｍｍであれば、アンバランス量は１０００ｇであると算出できる。なお、本実施の形態では、上記の方法によりアンバランス量を算出しているが、振動変位の値そのもので、アンバランス量を算出する方法でも可能である。
【００９０】
上述したように、布量が変化する場合、左右振動変位だけでアンバランス量を判定すると、アンバランス量を誤って判定する。その結果、誤った脱水起動の方法でドラム３を回転させる可能性がある。しかし、布量検知部１０２で検知した衣類容量により、布量補正部１０４で小容量時のＳ１、または大容量時のＳ３、または中容量時のＳ２に補正することでアンバランス量を正確に判定することができる。
【００９１】
なお、上述したように、アンバランス量は、洗濯物１８のアンバランス位置Ａが、図３Ｂから図３Ｅに示す前、後、中央、対角のアンバランス状態であっても、発生する場所に関係なく、アンバランス量が同じであれば、左右振動変位は同じ特性を示すことが実験結果から判明している。つまり、左右振動変位とアンバランス量の関係は、図５に示す関係が維持される。そのため、アンバランス量算出部３１で、左右振動変位の値からアンバランス量を容易に算出することができる。
【００９２】
つぎに、同じ１２０ｒｐｍでドラム３の回転を維持している際、振動検知部１０は、洗濯槽２２の前方上部の左右振動変位以外に、前後振動変位や上下振動変位を検出している。そして、検知した前後振動変位をアンバランス位置算出部３０に入力する。これにより、アンバランス位置算出部３０は、アンバランス量算出部３１で算出したアンバランス量に基づいて、図６に示すアンバランス量毎の前後振動変位とアンバランス位置との相関図からアンバランス位置を算出する。
【００９３】
例えば、アンバランス量算出部３１で、アンバランス量が５００ｇと算出された場合、まず、アンバランス位置算出部３０は、図６に示すＺ４（衣類容量が小容量の場合）を選択する。そして、前後振動変位が、Ｚ４のどこに位置するかにより、図６の横軸に示すアンバランス位置を特定する。その結果、アンバランス位置が算出される。具体的には、衣類容量が小容量において、アンバランス量が５００ｇで、前後振動変位が１．０ｍｍを検知した場合、図６からアンバランス位置が、前と中の間の「前中」に位置していると算出できる。
【００９４】
このとき、図６に示すように、例えばアンバランス量が５００ｇの場合、衣類容量が大容量の場合には大容量を示すＣ３、中容量時の場合には中容量特性を示すＣ２で、振動検知の特性が示される。そのため、布量検知部１０２の衣類容量から布量補正部１０４で、大容量を示すＣ３または中容量を示すＣ２から、小容量を示すＣ１に補正を行う。一方、衣類容量が小容量の場合は、補正を行わず、小容量特性を示すＣ１で判定を行う。さらに、一定値である小容量以下の場合も、同様に、補正を行わず、小容量特性のＣ１で判定を行う。つまり、一定値以下の場合、振動検知部１０で検知される左右振動変位や前後振動変位は、衣類の容量による影響がほとんどない。そこで、衣類容量が一定値（小容量）以下の場合は、小容量特性のＣ１で補正を行う。これにより、容量毎に求める実験値の回数を低減して、生産性や作業性を向上できる。
【００９５】
具体的に例示すれば、振動検知部１０で検知した前後振動変位が、大容量時に０．８ｍｍ、中容量時に０．９ｍｍの場合、布量検知部１０２の布量から布量補正部１０４で小容量時を示すＣ１へ補正を行う。つまり、布量検知部１０２で検出した衣類容量に基づいて、布量補正部１０４は小容量を示すＣ１に補正する。これにより、誤ったアンバランス位置の判定を防止する。その結果、脱水起動時において、誤判定することがない。
【００９６】
つまり、上述した方法により、制御部１３の起動判定部１３１のアンバランス量算出部３１とアンバランス位置算出部３０で、洗濯物１８のアンバランス状態を、ドラム３の共振回転数よりも低い回転数（本実施の形態では、約１２０ｒｐｍ）で特定することができる。
【００９７】
なお、図５および図６に示す左右振動変位および前後振動変位と、アンバランス量およびアンバランス位置との相関図は、約１２０ｒｐｍでドラム３を回転させたときの実験値から得られた図である。そのため、ドラム３の回転数を変更した場合には、相関関係は変化する。また、ドラム３の奥行きサイズ、径、ドラム式洗濯機本体１内の洗濯槽２２の支持方法などが変化した場合にも相関関係が変化する。その場合でも、共振回転数以下で実験的に相関関係を得ることにより、容易に対応することができる。
【００９８】
つぎに、検知したアンバランス状態に基づいて、共振回転数までのドラム３の立ち上げ方法を決定し、ボールバランサ８内のボール９を制御する。なお、制御の詳細は後述するが、例えばドラム３の奥行き方向のアンバランス位置が前側であれば、ボール９を対向状態にして起動、軸側であれば、ボール９を分散状態にして起動制御を行う。これにより、ボール９と、衣類とのアンバランス状態を最適な状態で、ドラム３の共振回転数を通過させることができる。その結果、ドラム３の共振回転数での振動を最小限に抑制して、起動することができる。
【００９９】
以下に、ドラム３の共振回転数での振動を最小限に抑制する動作について、詳細に説明する。
【０１００】
まず、ドラム３を、約１２０ｒｐｍで回転して、振動検知部１０でアンバランス量およびアンバランス位置を検出し、ドラム３内の洗濯物１８のアンバランス状態を把握する。
【０１０１】
つぎに、ドラム３の回転数を、振動検知部１０で振動変位を検知した回転数より低い回転数で運転する。つまり、ボールバランサ８内のボール９がドラム３の回転に対して底部に偏った状態で、ボール９が回転しない状態の回転数で動作させる。なお、上記回転数は、ボール９の重力が回転による遠心力よりも大きい条件でドラム３が回転している回転数である。そのため、ボールバランサ８の内部のオイルの粘性にも影響されるので、本実施の形態では、実験値で回転数を決めている。
【０１０２】
また、ドラム３が１２０ｒｐｍで回転している場合において、ボール９が回転するか、ボールバランサ８の底部で偏り状態になっているかは、図７Ｂに示すような一定の振動周期および一定の振幅変動の値が、振動検知部１０の左右振動変位で検出されることにより判断できる。一方、ボールバランサ８の底部にボール９が偏っている場合、左右振動変位が周期的に変動せず、一定の値で安定している状態から、容易に確認して判断できる。
【０１０３】
一方、ドラム３が約１２０ｒｐｍよりも低い回転数で、ボールバランサ８内のボール９が回転しない図３Ａに示す位置にある場合において、一定値以上（例えば、１００ｇ）のアンバランス量がある場合には、以下の方法により円周方向のアンバランス位置を検出する。つまり、まず、ドラム３を回転させる場合に、モータ１２を駆動している駆動部１３３から流れる電流値を電流検知部１０１で検知する。このとき、図４に示す電流値の変化により、ドラム３内の洗濯物１８のアンバランス位置Ａを把握することができる。
【０１０４】
しかし、アンバランス量が一定値以下の場合には、図４に示す電流値の変化が小さくなるので、電流値の変化ではなく、電流値の大きさにより、起動方法を判定してもよい。例えば、一定電流値以下の振幅変動の場合は、アンバランス量が少ないため、ボール９の分散状態による起動と判定して起動する。一方、一定電流値以上の振幅変動の場合は、アンバランス量が多いため、ボール９の対向状態による起動と判定して起動する。これにより、モータ１２を駆動する電流値の大きさから、起動方法を判定してもよい。
【０１０５】
また、図３Ａに示すように、アンバランス位置Ａがドラム式洗濯機本体１の正面から見て底部にある場合、モータ１２を駆動する電流値は、図４に示す電流ｂの位置にある。そして、アンバランス位置Ａが右回転で上部へ移動するにしたがって、電流値は電流ｂから電流ａ１に変化する。その後、電流値は回転とともにアンバランス位置Ａが底部に戻るとともに、電流値も減少する。つまり、上記の状態が繰り返して電流検知部１０１で検出されることにより、ドラム３の円周方向におけるアンバランス位置Ａを容易に把握できる。
【０１０６】
なお、布量検知部１０２の衣類容量の計測は、洗濯ステップの給水前の状態で行うことが、好ましい。これにより、脱水ステップ前の給水状態で布量を判定する場合において、洗濯ステップ時、布に含まれる水分量を考慮して布量を判定する必要がない。その結果、正確な布量が判定でき、脱水起動時の布量の補正を正確に行うことができる。また、これに限定されるものではなく、布に含まれる水分量を考慮して布量を判定することも可能である。
【０１０７】
さらに、布量補正部１０４の補正は、必ずアンバランス量算出部３１およびアンバランス位置算出部３０でアンバランス状態を算出する直前の状態で行うことが、好ましい。これにより、最も精度よく衣類容量を補正できる。つまり、洗濯ステップ終了後の、脱水起動の直前や、すすぎ時の脱水時の直前に衣類容量の補正を行う。これにより、精度よく、衣類容量の補正を行うことができる。
【０１０８】
そして、上述したように、ドラム３を約１２０ｒｐｍで回転させた状態において、振動検知部１０で検知した振動変位に基づいて、アンバランス量算出部３１とアンバランス位置算出部３０から、ドラム３の奥行き方向におけるアンバランス位置とアンバランス量が算出される。そのため、算出されたアンバランス位置とアンバランス量のそれぞれ条件毎に、ボールバランサ８のボール９の位置と、円周方向におけるアンバランス位置Ａの相対位置とを、どのように配置すればドラム３の共振回転数を通過させる際に、最も振動を抑制できるかについては、実験結果から得られている。具体的には、例えば、ドラム３の奥行き方向のアンバランス位置が前側、または軸側で一定値（例えば、３００ｇ）以上であれば、対向起動とし、軸側で一定値未満であれば、分散起動とする。
【０１０９】
そこで、制御部１３の起動判定部１３１は、上記条件で、ボール９が底部に偏っている状態のドラム３の回転数から、所定の時間内に共振回転数まで上昇させる。そして、起動判定部１３１は、さらに、例えば約５００ｒｐｍの回転数までドラム３を回転させるように、モータ１２を制御する。
【０１１０】
以上により、ドラム３の共振回転数における洗濯槽２２の振動変位を最小限に抑制して、ドラム３を起動できる。
【０１１１】
なお、本実施の形態では、ボールバランサ８をドラム３の洗濯物投入口側に配置し、脱水起動時にボール９と洗濯物１８のアンバランス位置Ａとの相対位置が図３Ｂまたは図３Ｄでは約１８０度、図３Ｃではボール９がボールバランサ８内にほぼ均等（均等を含む）に配置した例を基本の配置として説明したが、これに限られない。例えば、アンバランス量の大きさによって、ボール９の配置をさらに区分けして配置するように制御してもよい。これにより、複雑なアンバランス位置に応じて、よりボールバランサ８内でボール９を最適に配置できる。その結果、脱水起動時において、共振回転数を通過する際に発生するドラム３の振動を、さらに抑制できる。
【０１１２】
また、本実施の形態では、図３Ｅで示したように、前側と後側の対角位置にアンバランス位置Ａが発生する例で説明したが、これに限られない。例えば、アンバランス位置Ａの重心位置が前側または後側の位置に偏って配置されている場合、ボールバランサ８内のボール９の配置を、さらに区分けして配置して制御してもよい。これにより、アンバランス位置に応じて、ボールバランサ８内でボール９を最適に配置して、さらに振動を低減できる。
【０１１３】
以上のように、本実施の形態によれば、振動検知部１０の左右振動および前後振動の変位を、ドラム３を約１２０ｒｐｍの回転数で回転させた状態で正確に検知する。そして、検知した振動変位に基づいて、アンバランス量およびアンバランス位置を判定する。これにより、ドラム３の共振回転数における振動を最小化できるように、予めアンバランス状態の条件からボールバランサ８内のボール９の配置とアンバランス位置Ａの相対位置を把握することができる。その結果、ボール９をアンバランス位置Ａに対応して最適に配置して、ドラム３を駆動し、安定した脱水起動を行うことができる。
【０１１４】
また、本実施の形態によれば、ドラム３を約１２０ｒｐｍで回転した状態で、振動検知部１０で振動変位を検知する。そのため、一定以上の大きさで振動変位を検出できる。このとき、ボールバランサ８内のボール９は、オイルの粘性により、分散や偏りを繰り返すような移動を行わず、安定した配置で回転している。これにより、振動検知部１０で正確な左右振動変位および前後振動変位を検出して、正確にアンバランス量およびアンバランス位置の検出ができる。
【０１１５】
つまり、従来の流体バランサでは、水のみの粘性であるために、振動変位が一定以下の大きさの場合でも、頻繁に移動を繰り返す。そのため、流体バランサ内の水と、アンバランス位置Ａとの相対的な配置が常に変化し、正確な振動変位を検出することが困難であった。しかし、本実施の形態のボールバランサの構成により、正確に振動変位を検知し、安定して脱水ステップを起動できる。
【０１１６】
（実施の形態２）
以下に、本発明の実施の形態２におけるドラム式洗濯機の構成について、図１を参照しながら、図８を用いて説明する。
【０１１７】
図８は、本発明の実施の形態２におけるドラム式洗濯機の制御ブロック図である。
【０１１８】
図８に示すように、本実施の形態のドラム式洗濯機は、回転体制御装置を構成するボールバランサ８近傍の温度を検知する温度検知部２３と、温度補正部１０６を設けた点で、実施の形態１とは異なる。そして、実施の形態１で説明した振動検知部１０で検知した振動変位と、布量検知部１０２で検知した布量に、さらに温度検知部２３で検知した温度に基づいて、脱水起動時にボールバランサ８を制御する。
【０１１９】
つまり、図１および図８に示すように、本実施の形態のドラム式洗濯機は、少なくとも筐体を構成するドラム式洗濯機本体１と、ドラム式洗濯機本体１内に収容される洗濯槽２２、回転槽を構成するドラム３、モータ１２、回転体制御装置を構成するボールバランサ８、振動センサなどで構成される振動検知部１０、制御部１３、温度検知部２３などから構成されている。なお、基本的に、以下に示す温度検知部２３以外の構成や動作は、実施の形態１と同様であるので、詳細な説明は省略する。
【０１２０】
温度検知部２３は、例えばサーミスタなどの温度センサで構成され、ボールバランサ８近傍の洗濯槽２２の下部などに設けられている。そして、温度検知部２３は、ボールバランサ８近傍の温度を検知する。
【０１２１】
一般的に、ボールバランサ８内のオイルの粘性は、温度の変化により変わる。そのため、ボールバランサ８内のボール９の動きなどが、オイルの粘性の変化により影響される。そこで、オイルの温度をより正確に検知するために、温度検知部２３をボールバランサ８近傍の洗濯槽２２の下部に設けている。この配置は、洗濯槽２２内の洗濯水や洗濯物１８などで変化する温度の影響を緩和して、精度よくボールバランサ８近傍の温度を検知できる効果もある。なお、温度検知部２３は、洗濯槽２２の下部以外に、洗濯槽２２の正面部などに設けてもよく、ボールバランサ８近傍の温度を精度よく検出できる位置であれば、任意の位置に配置してもよい。
【０１２２】
また、図２に示すように、本実施の形態のドラム式洗濯機の制御部１３は、実施の形態１と同様に、起動判定部１３１と回転制御部１３２などを有している。起動判定部１３１は、電流検知部１０１と、布量検知部１０２と、回転位置検知部１０３と、布量補正部１０４と、温度補正部１０６と、アンバランス位置算出部３０と、アンバランス量算出部３１などから構成されている。電流検知部１０１は、モータ１２に流れる電流を検出する。回転位置検知部１０３は、電流検知部１０１で検知する電流の変化から洗濯物１８の偏りによるドラム３内の円周方向のアンバランス位置を検出する。アンバランス量算出部３１は、振動検知部１０の左右振動変位からドラム３内の洗濯物１８のアンバランス量を検知する。アンバランス位置算出部３０は、アンバランス量算出部３１で算出したアンバランス量に基づいて、振動検知部１０の前後振動変位からドラム３の奥行き方向における洗濯物１８のアンバランス位置を算出する。布量検知部１０２は、ドラム３内の洗濯物１８の容量（衣類容量）を検知する。布量補正部１０４は、布量検知部１０２で検知した衣類容量から振動検知部１０で検知した振動変位の値を補正する。温度補正部１０６は、温度検知部２３で検知した温度の値から振動検知部１０で検知した振動変位の値を温度補正する補正値を算出する。
【０１２３】
また、実施の形態１において、図３Ａから図４を用いて説明したように、脱水起動時には、洗濯物１８のアンバランス状態（アンバランス量およびアンバランス位置）が衣類容量に応じて変化する。そこで、実施の形態１では、衣類容量を考慮して、アンバランス状態を、振動検知部１０で検出した左右振動変位や前後振動変位から求めて、ボールバランサ８のボール９をアンバランス状態に対応して制御し、振動を抑制していた。
【０１２４】
しかし、実施の形態１でも述べたように、ボールバランサ８内のオイルの粘性は、温度特性を有する。つまり、オイルの粘性抵抗は、温度により大きく変化し、高温では小さく、低温では大きくなる。このような温度変化は、季節の変化による外気温の変化や、洗いステップやすすぎステップの洗濯水にお湯を使用することなどにより起こり得る。これにより、ボールバランサ８内のボール９の動作も大きく変化する。
【０１２５】
具体的には、ボールバランサ８内のボール９の動作は、高温時において、オイルの粘性抵抗の低下により、常温時より速く移動する。一方、低温時においては、オイルの粘性抵抗の増加により、常温時より遅く移動する。そのため、図９および図１０を用いて後述するように、洗濯槽２２に設けている振動検知部１０で検知する振動変位は、高温時において、常温時より大きくなる。一方、低温時においては、常温時より小さくなる。
【０１２６】
そこで、本実施の形態では、衣類容量の変化に加えて、さらに温度変化を考慮して、アンバランス位置およびアンバランス量などの多様なアンバランス状態を、振動検知部１０で検知する。そして、検知した振動変位に基づいて、ボールバランサ８を制御し、脱水起動時に発生する振動を抑制している。
【０１２７】
以下に、本実施の形態のドラム式洗濯機において、温度変化を考慮して、アンバランス状態を検知する方法について、図９および図１０を用いて、説明する。
【０１２８】
図９は、同ドラム式洗濯機のアンバランス量と振動検知部で検知した左右振動変位との関係を、温度をパラメータとして示す相関図である。詳細には、図中のＳＳ１は、温度が常温（例えば、２５°Ｃ程度）の場合における、アンバランス量と左右振動変位との関係を示している。同様に、ＳＳ２は温度が低温（例えば、５°Ｃ程度）の場合、ＳＳ３は温度が高温（例えば、６０°Ｃ程度）の場合の関係を示している。さらに、図中のＳＳ１１は、アンバランス量が５００ｇにおける、温度が常温の場合のＳＳ１上の左右振動変位を示している。同様に、ＳＳ２１は温度が低温の場合、ＳＳ３１は温度が高温の場合の、ＳＳ２およびＳＳ３上の左右振動変位を示している。
【０１２９】
また、図１０は、同ドラム式洗濯機のアンバランス位置と振動検知部で検知した前後振動変位との関係を、アンバランス量をパラメータとして示す相関図である。詳細には、図中のＺＺ１からＺＺ７は、温度が常温の場合の１００ｇから２０００ｇに相当する各アンバランス量を示している。そして、図中のＣＣ１は、温度が常温の場合のアンバランス量が５００ｇにおける、アンバランス位置と前後振動変位との関係を示している。同様に、ＣＣ２は温度が低温の場合、ＣＣ３は温度が高温の場合の、アンバランス量が５００ｇにおける、アンバランス量と前後振動変位との関係を示している。なお、温度が低温と高温で、アンバランス量が５００ｇの場合以外の相関図は記載していない。
【０１３０】
さらに、図中のＣＣ１１は、アンバランス量が５００ｇにおける、温度が常温でアンバランス位置が「前中」の場合の、ＣＣ１上の前後振動変位を示している。同様に、ＣＣ２１は温度が低温の場合、ＣＣ３１は温度が高温の場合の、ＣＣ２およびＣＣ３上のアンバランス位置が「前中」における前後振動変位を示している。
【０１３１】
このとき、図９は、実施の形態１で図５を用いて説明したように、振動検知部１０で検知した左右振動変位とアンバランス量との関係が、以下の条件でドラム３を駆動した場合、アンバランス位置Ａが図３Ｂから図３Ｅに示す位置関係に関わらず、相関関係にあることを示している。条件は、ドラム３をボールバランサ８のボール９が底部に固定されずに回転する回転数を、例えば９０ｒｐｍから１５０ｒｐｍの範囲で維持した状態で、左右振動変位とアンバランス量を検知した場合である。この回転数は、ドラム３の共振回転数より低く、アンバランス状態の検知に都合が良い。
【０１３２】
なお、本実施の形態では、ドラム３の回転数を１２０ｒｐｍで維持した状態で、温度変化毎に左右振動変位とアンバランス量の関係を、実施の形態１で説明した方法により実験的に測定した結果を、図９に示している。同様に、回転数を１２０ｒｐｍで維持した状態で、温度が常温においてアンバランス量毎に前後振動変位とアンバランス位置の関係を実験的に測定した結果を、図１０に示している。
【０１３３】
ここで、図９と図１０を得る具体的な測定方法について説明する。まず、例えばドラム３の内壁面に、大容量、中容量および小容量のそれぞれの設定に応じて、相当する重りを均等に配置する。つぎに、アンバランス量に相当する重り（例えば、５００ｇなど）を、所定のアンバランス位置に配置した状態で、ボールバランサ８を、常温、低温および高温などの所定の温度に維持して、ドラム３を回転駆動する。そして、上記状態でドラム３を回転させたときに発生する左右振動変位や前後振動変位を検知し、図９や図１０にプロットしている。
【０１３４】
以下に、図９において、左右振動変位とアンバランス量との関係が、アンバランス位置Ａが図３Ｂから図３Ｅに示す奥行き方向の位置関係に関わらず、相関関係にある理由について説明する。
【０１３５】
まず、ドラム３の回転軸が洗濯槽２２の背面側を軸に支持固定され、振動検知部１０を軸から離れた距離にある前側の上部に設けている。そのため、ドラム３の奥行き方向のアンバランス位置に前後振動変位および上下振動変位は影響されるが、左右振動変位への影響が小さい。つまり、アンバランス位置の奥行き方向の位置に、左右振動変位は、影響されない。これにより、アンバランス量と左右振動変位との関係を、精度よく得ることができる。
【０１３６】
一方、左右振動変位は、実施の形態１で説明した衣類容量とともに、ボールバランサ８内部のオイルの粘性の温度変化により影響を受ける、そこで、図９には、温度検知部２３で検知したボールバランサ８近傍の温度が、常温時の左右振動変位とアンバランス量との関係をＳＳ１で示し、同様に、高温時の関係をＳＳ３で、低温時の関係をＳＳ２で示している。
【０１３７】
具体的には、例えば温度が常温時において、振動検知部１０で検知した左右振動変位が１．０ｍｍの場合、ＳＳ１上のＳＳ１１から、アンバランス量が５００ｇであることを示している。これに対して、アンバランス量が５００ｇで同じであれば、温度が低温時においては、ＳＳ２上のＳＳ２１から左右振動変位が０．８ｍｍと小さくなる。このとき、温度を常温と判定すると、ＳＳ１からアンバランス量が４００ｇと示される。また、温度が高温時においては、ＳＳ３に示すように左右振動変位が大きくなり、アンバランス量が５００ｇの場合、２．０ｍｍを示す。このとき、温度を常温と判定すると、ＳＳ１からアンバランス量が６００ｇと示される。つまり、アンバランス量が同じ場合でも、温度変化により、左右振動変位が変化する。その結果、左右振動変位だけでアンバランス量を判断すると、図８に示す制御部１３の起動判定部１３１は、アンバランス量を誤判定し、起動方法を誤る可能性がある。
【０１３８】
また、図１０に示す前後振動変位とアンバランス位置との関係から、図中にＺＺ１からＺＺ７などで示すアンバランス量毎の特性を用いて、ドラム３の奥行き方向におけるアンバランス位置を算出することができる。なお、図１０に示す、洗濯槽２２の前後振動変位と、アンバランス量毎のアンバランス位置を示す関係は、実験的に得られたデータである。
【０１３９】
つまり、振動検知部１０の前後変位は、以下の条件でドラム３を駆動した場合、アンバランス量毎にドラム３の奥行き方向のアンバランス位置により前後振動変位として検出できる。条件は、ドラム３をボールバランサ８のボール９が底部に固定されずに回転する回転数、例えば９０ｒｐｍから１５０ｒｐｍの範囲を維持した状態で、ドラム３を回転させる。なお、本実施の形態では、回転数を１２０ｒｐｍで維持した状態で、前後振動変位とアンバランス位置との関係を実験的に測定しており、図１０では、上述したように、アンバランス量が５００ｇの場合を除いて、温度が常温の場合のみを示している。
【０１４０】
ここで、前後振動変位を検出できる理由は、まず、ドラム３の回転軸を洗濯槽２２の後方部を軸として支持され、軸から離れた前方上部の位置に振動検知部１０を設けている。これにより、アンバランス量を示す左右振動は明確に現れる。そして、アンバランス位置の違いを示す前後振動は、アンバランス位置がドラム３内の軸側にある場合は小さく、前側にある場合は大きくなる。そのため、振動検知部１０で検知される前後振動変位に、ドラム３の奥行き方向のアンバランス位置を示す特性が表れる。つまり、ドラム３の奥行き方向のアンバランス位置を、実験結果から得られた図１０を用いて判定できる。
【０１４１】
具体的には、図１０は、例えば衣類のアンバランス量が５００ｇの場合、ボールバランサ８近傍の温度が常温時には、前後振動変位はＣＣ１を示し、高温時にはＣＣ３、低温時にはＣＣ２を示す。
【０１４２】
なお、温度特性が、それぞれの衣類のアンバランス量に応じて、同じ特性であることは、実験値から確認している。
【０１４３】
つまり、図１０に示すように、例えばアンバランス量は５００ｇで、温度が常温時において、振動検知部１０が検知した前後振動変位が１．０ｍｍの場合、ＣＣ１上のＣＣ１１から前後のアンバランス位置が「前中」と判定される。そして、温度が低温時において、前後振動変位が０．８ｍｍを示す場合、ＣＣ２上のＣＣ２１から前後のアンバランス位置が「前中」と判定される。また、温度が高温時において、前後振動が１．１ｍｍを示す場合、ＣＣ３上のＣＣ３１から前後のアンバランス位置が「前中」と判定される。
【０１４４】
このように、図９と図１０のような関係を実験により得られた値から補正式（近似式）として把握しておく。これにより、温度検知部２３で検知した温度と、振動検知部１０で検知される左右振動変位と前後振動変位とから、アンバランス量とアンバランス位置を正確に算出して、適切な起動制御を行うことができる。
【０１４５】
また、図９および図１０を得る場合において、例えば温度が常温の場合のみ実験を行って相関図を把握する。そして、低温や高温については、常温の相関図を基準にして、温度による補正を温度補正部１０６で行うようにしてもよい。もちろん、基準とする温度は、特に限定されるものではない。
【０１４６】
つまり、温度変化により前後振動変位が変化する。そのため、同じアンバランス位置でも、温度変化により前後振動変位が異なるので、温度補正を行わない場合、前後のアンバランス位置を誤判定し、起動方法を誤る可能性がある。これにより、例えばアンバランス位置が「前中」位置より前方方向に位置する場合、ボールバランサ８を対向起動とするが、誤判定により、低温時において、誤ってボールバランサ８を分散起動を行うように判定する可能性がある。
【０１４７】
また、実施の形態１で図７Ｂを用いて説明したように、本実施の形態のドラム式洗濯機は、ボールバランサ８を搭載している。ボールバランサ８内のボール９は、ドラム３を回転数１２０ｒｐｍ（例えば、９０から１５０ｒｐｍの範囲内）に維持した状態で回転した場合、所定の粘性を持ったオイルにより、ほぼ一定の位置に偏る状態となる。これにより、ボールバランサ８内のボール９は、ドラム３の回転数より、ほぼ一定回転数遅れた回転数で回転する。そのため、図７Ｂの波形Ｈ２に示すように、左右振動変位は、一定の振幅範囲でドラム３の回転周期に同期して変動する。
【０１４８】
従って、ボールバランサ８を用いた場合、ドラム３の回転数とボール９の回転数が一定の回転数遅れた状態で回転する。そのため、洗濯槽２２の左右振動変位は、洗濯物１８のアンバランス位置Ａとボール９の偏りとが打ち消しあう状態や重なり合う状態を、一定周期で繰り返す。これにより、洗濯槽２２の左右振動変位は、一定の変動周期と一定の振幅変動で検出される。その結果、ボールバランサ８を用いた場合、振動検知部１０は、一定の振動周期と一定の振幅変動の範囲から、左右振動変位の値を容易に算出できる。
【０１４９】
このとき、オイルの粘性が温度特性により変化する場合、左右振動変位の振幅値は高温時に大きく、低温時に小さくなる。しかし、左右振動変位の繰り返し動作は、上記と同様の動作を示す。つまり、温度変化があった場合でも、正確に左右振動変位を検出することが可能となる。ここで、左右振動変位は、実施の形態１と同様に、例えば最大変位と最小変位の差分を平均することにより算出される。このとき、ボールバランサ８内のボール９は、アンバランスの円周方向位置と重なる位置に移動すると振動変位をより大きくし、アンバランスの円周方向位置と対向する位置に移動すると振動変位をより小さくするように作用する。従って、最大変位と最小変位との差分に対するボール９の影響は、相殺されて問題ない。なお、１２０ｒｐｍで回転するドラム３の回転期間で検出する左右振動変位の平均を算出して、左右振動変位の真値を算出してもよい。これにより、左右振動変位の検出精度を向上できる。
【０１５０】
以上のように、本実施の形態のドラム式洗濯機が構成されている。
【０１５１】
なお、本実施の形態におけるドラム式洗濯機の動作および作用は、実施の形態１と同様であるので、説明を省略する。
【０１５２】
つぎに、本実施の形態におけるドラム３が共振回転数を通過する際に発生する振動を抑制する、脱水時の起動動作について、説明する。
【０１５３】
このとき、実施の形態１で説明したように、洗濯物１８の偏りに対して、ボールバランサ８内でボール９を最適な位置に配置して、ドラム３の回転が、共振回転数を通過するように、以下で述べる起動方法を実現している。
【０１５４】
つまり、脱水ステップでは、制御部１３は、回転制御部１３２の指令により、駆動部１３３を介してモータ１２に駆動電圧を印加する。これにより、モータ１２を徐々に低速回転から高速回転に動作させ、ドラム３の回転速度を徐々に上昇させる。
【０１５５】
つぎに、制御部１３の回転制御部１３２は、ドラム３の回転数が約１２０ｒｐｍとなるように、モータ１２を制御し、その状態を維持する。そして、ドラム３が約１２０ｒｐｍで回転する状態で、ドラム３の前方上部の洗濯槽２２に設けた振動検知部１０で、洗濯槽２２の左右振動変位および前後振動変位を検出する。このとき、ドラム３の回転数は、共振回転数以下であるため、安定した振動変位で検出できる。また、ボールバランサ８の内部のボール９は、オイルの粘性により一ヶ所に偏った状態で、ドラム３の回転数と非同期で、かつ一定回転数遅れた状態で回転する。これにより、図７Ｂの波形Ｈ２に示すような、一定の振動周期と一定の振幅変動で左右振動変位が検出される。その結果、制御部１３の起動判定部１３１は、洗濯槽２２の左右振動変位の値を平均することにより、真値を容易に算出できる。
【０１５６】
しかし、上記で説明したように、ボールバランサ８内のオイルの粘性は、周囲温度の影響により変化する。これにより、ボールバランサ８内部のボール９の移動速度などの動作が変化し、振動検知部１０で検出する振動変位が影響を受ける。具体的には、図９に示すように、温度が高温時には振動変位が大きく、ＳＳ３の特性を示す。また、同様に、常温時には振動変位は、ＳＳ１の特性を示し、低温時には振動変位はＳＳ２の特性を示すように影響を受ける。
【０１５７】
そこで、本実施の形態では、まず、洗濯槽２２に設けた温度検知部２３により、ボールバランサ８近傍の温度を検知し、検知した温度に基づいて、温度補正部１０６で、例えば振動変位を補正する。具体的には、図９と図１０のような関係を実験により得られた値から補正式（近似式）として把握することにより、温度補正部１０６は、振動検知部１０で検知した振動変位を常温時の振動の値（図９では、ＳＳ１）に、低温時のＳＳ２および高温時のＳＳ３から補正を行う。そして、起動判定部１３１は、アンバランス量算出部３１およびアンバランス位置算出部３０で衣類のアンバランス状態を検出する。なお、常温、低温および高温以外の温度に対する温度補正部１０６による補正は、実験値に求めた常温、低温および高温時における振動変位の値から、例えば比例にあると想定した補正式を用いて、補完して算出する。これにより、測定する実験値の数を削減して。作業性を向上できる。
【０１５８】
つぎに、振動検知部１０で検知した左右振動変位の真値から、図９に示す左右振動変位とアンバランス量の相関図（具体的には、実験値より得られた常温時を示すＳＳ１、低温時を示すＳＳ２、高温時を示すＳＳ３）を用いて、アンバランス量を算出する。例えば、温度が常温の場合、左右振動変位の真値が１．０ｍｍであれば、その時のアンバランス量は５００ｇである。また、左右振動変位が１０ｍｍであれば、アンバランス量は１０００ｇであると算出できる。なお、本実施の形態では、上記の方法により、アンバランス量を算出しているが、振動変位の値そのもので、アンバランス量を算出する方法でも可能である。
【０１５９】
上述したように、温度が変化する場合、左右振動変位だけでアンバランス量を判定すると、アンバランス量を誤って判定する。その結果、誤った脱水起動の方法でドラム３を回転させる可能性がある。しかし、温度検知部２３で検知した温度の値により、温度補正部１０６で常温時のＳＳ１、または、高温時のＳＳ３、または、低温時のＳＳ２に補正することでアンバランス量を正確に判定することができる。
【０１６０】
なお、実施の形態１で説明したように、アンバランス量は、洗濯物１８のアンバランス位置Ａが、図３Ｂから図３Ｅに示す前、後、中央、対角のアンバランス状態であっても、発生する場所に関係なく、アンバランス量が同じであれば、左右振動変位は同じ特性を示すことが実験結果から判明している。つまり、左右振動変位とアンバランス量の関係は、図９に示すような関係が維持される。そのため、アンバランス量算出部３１で、左右振動変位の値からアンバランス量を、容易に算出することができる。
【０１６１】
つぎに、同じ１２０ｒｐｍでドラム３の回転を維持している際、振動検知部１０は、洗濯槽２２の前方上部の左右振動変位以外に、前後振動変位や上下振動変位を検出している。そして、検知した前後振動変位をアンバランス位置算出部３０に入力する。これにより、アンバランス位置算出部３０は、アンバランス量算出部３１で算出したアンバランス量に基づいて、図１０に示すアンバランス量毎の前後振動変位とアンバランス位置との相関図からアンバランス位置を算出する。
【０１６２】
例えば、アンバランス量算出部３１で、アンバランス量が５００ｇと算出された場合、まず、アンバランス位置算出部３０は、図１０に示すＺＺ４（常温時、例えば２５℃の場合）を選択する。そして、前後振動変位が、ＺＺ４のどこに位置するかにより、図１０の横軸に示すアンバランス位置を特定する。その結果、アンバランス位置が算出される。具体的には、常温において、アンバランス量が５００ｇで、前後振動変位が１．０ｍｍを検知した場合、図１０からアンバランス位置が、前と中の間の「前中」に位置していると算出できる。
【０１６３】
このとき、図１０に示すように、例えばアンバランス量が５００ｇの場合、高温時の場合には高温特性を示すＣＣ３、低温時の場合には低温特性を示すＣＣ２で、振動検知の特性が示される。そのため、温度検知部２３で検知した温度の値から温度補正部１０６で、高温特性を示すＣＣ３、または低温時の場合には低温特性を示すＣＣ２から、常温時特性を示すＣＣ１に補正を行う。一方、検知した温度が常温時の場合は、補正を行わず、常温特性を示すＣＣ１で判定を行う。
【０１６４】
例えば、振動検知部１０で検知した前後振動変位が、低温時に０．８ｍｍ、高温時に１．１ｍｍを検出した場合、温度検知部２３で検知した温度の値から温度補正部１０６で常温特性を示すＣＣ１へ補正を行う。つまり、温度変化があった場合でも、常温特性を示すＣＣ１に補正する。これにより、誤ったアンバランス位置の判定を防止する。その結果、脱水起動時において、誤判定することがない。
【０１６５】
つまり、上述した方法により、制御部１３の起動判定部１３１のアンバランス量算出部３１とアンバランス位置算出部３０で、洗濯物１８のアンバランス状態を、ドラム３の共振回転数よりも低い回転数（本実施の形態では、約１２０ｒｐｍ）で特定することができる。
【０１６６】
なお、図９および図１０に示す左右振動変位および前後振動変位と、アンバランス量およびアンバランス位置との相関図は、約１２０ｒｐｍでドラム３を回転させたときの実験値から得られた図である。そのため、ドラム３の回転数を変更した場合には、相関関係が変化する。また、ドラム３の奥行きサイズ、径、ドラム式洗濯機本体１内の洗濯槽２２の支持方法などが変化した場合にも相関関係が変化する。その場合でも、共振回転数以下で実験的に相関関係を得ることにより、容易に対応することができる。
【０１６７】
つぎに、検知したアンバランス状態に基づいて、ボールバランサ８内のボール９を制御する。具体的には、例えば、ドラム３の奥行き方向のアンバランス位置が前側、または軸側で一定値（例えば、３００ｇ）以上であれば、対向起動とし、軸側で一定値未満であれば、分散起動とする。これにより、ボール９と、衣類とのアンバランス状態を最適な状態で、ドラム３の共振回転数を通過させることができる。その結果、ドラム３の共振回転数での振動を最小限に抑制して、起動することができる。
【０１６８】
なお、本実施の形態では、ドラム３の回転数を１２０ｒｐｍに維持した場合に、温度補正部１０６で温度補正をする方法を例に説明したが、これに限られない。例えば、オイルの粘性が変化した場合に、ドラム３の回転数を変更してもよい。つまり、温度検知部２３で検知した温度の値により、振動検知部１０で検知する振動変位が常温時と同じ値になるように、オイルの粘性の温度変化に応じて、ドラム３の回転数を変更してもよい。
【０１６９】
また、本実施の形態では、温度検知部２３の温度の計測と、温度補正部１０６の補正は、必ずアンバランス量算出部３１およびアンバランス位置算出部３０でアンバランス状態を算出する直前の状態で行うことが、好ましい。これにより、最も精度よく温度補正ができる。つまり、洗濯ステップ終了後の、脱水起動の直前や、すすぎ時の脱水時の直前に温度補正を行う。これにより、精度よく、温度補正を行うことができる。
【０１７０】
また、本実施の形態では、温度検知部２３をボールバランサ８近傍の洗濯槽２２の下部に設けた例で説明したが、これに限られない。例えば、ドラム式洗濯機において、温度検知が必要な位置の設けられた温度センサを、温度検知部２３として兼用してもよい。このとき、ボールバランサ８の温度を正確に測定できない場合がある。その場合、温度補正部に、検知された温度センサの温度から、ボールバランサの温度を推測する温度補完部を設けることが好ましい。これにより、温度検知部２３の設置位置に関わらず、ボールバランサ８の温度を推測して、アンバランス状態を判定できる。
【０１７１】
以上で説明したように、本発明のドラム式洗濯機は、筐体と、筐体の内部に支持された洗濯槽と、洗濯槽内に回転可能に収納された回転槽と、回転槽を回転駆動する駆動部と、回転槽に設けた回転体制御装置と、洗濯槽に設けた振動検知部と、回転槽内の布量を算出する布量検知部と、振動検知部からの出力に基づいて駆動部を制御する制御部とを備える。制御部は、振動検知部で検知した振動変位と布量検知部で検知した布量とに基づき、脱水起動時に回転体制御装置を制御してもよい。
【０１７２】
これにより、回転槽を構成するドラム内の洗濯物のアンバランス状態（アンバランス位置およびアンバランス量など）が同じ状態で、かつ回転槽内の布量が異なる場合でも、布量検知部で布量、振動検知部で振動を計測して、アンバランス状態を共振回転数前に正確に把握できる。そして、衣類のアンバランス状態（アンバランス量とアンバランス位置）に基づいて回転体制御装置を制御することにより、洗濯槽の振動を抑制できる。その結果、起動の再立ち上げなどを繰り返す動作の発生を効果的に防止でき、脱水起動時の安定した動作ができる。
【０１７３】
また、本発明のドラム式洗濯機は、回転体制御装置が、回転槽の円周に合わせて設けられ、内部に複数のボールを有するボールバランサで構成される。そして、制御部は、振動検知部で検知した振動変位から回転槽のアンバランス量と円周方向のアンバランス位置とを含むアンバランス状態を把握し、アンバランス状態に基づいて、ボールがアンバランス位置に対向する位置に偏る対向起動、または、ボールがボールバランス内に分散する分散起動となるように制御してもよい。
【０１７４】
これにより、ボールバランサ内の最適な位置にボールを配置して、ドラムが共振回転数を通過するときの振動を抑制することができる。
【０１７５】
また、本発明のドラム式洗濯機は、制御部が、回転槽を共振回転数以下の所定回転数に維持した状態で、振動検知部で検知した振動変位から共振回転数時に回転槽の振動を抑制するように回転体制御装置を制御する起動判定部と、布量検知部で検知した布量から振動検知部で検知した振動変位の値を補正換算する布量補正部とを備えてもよい。
【０１７６】
この構成によれば、制御部の起動判定部は、まず、回転槽の回転数を共振回転数以下の所定回転数に維持する。布量補正部は、洗濯ステップ前に布量検知部で検知した洗濯物の布量から、アンバランス状態を検出する振動検知部で検知した任意の１軸出力方向（左右方向）の振動変位の値の補正を行う。そして、布量に応じて算出したアンバランス量に基づいて、振動検知部で検知した別の任意の１軸出力方向（前後方向）の振動変位の値を、さらに布量補正部で補正を行う。これにより、布量に基づいて、アンバランス位置を正確に算出して、回転槽内の洗濯物の偏り状況を正確に把握することができる。そして、偏り状況に応じて、対向（ボールをひとつの位置に偏らせる）状態、または分散（ボールを回転体制御装置内で均等に配置する）状態とするように、回転体制御装置（ボールバランサ）のボールの位置を制御する。その結果、ドラムの回転が共振回転数を通過する際の、洗濯槽の振動を、効果的に抑制することができる。
【０１７７】
また、本発明のドラム式洗濯機は、布量補正部が、回転槽内の布量が一定値以下の場合に、布量補正部の補正を行わないように制御してもよい。これにより、一定値に相当する布量が小容量以下では、小容量の振動変位を利用して、アンバランス量やアンバランス位置を判定できる。その結果、振動変位を、予め実験的に求める必要がないため、生産性や作業性が向上する。
【０１７８】
また、本発明のドラム式洗濯機は、布量補正部が、洗濯ステップの給水前の状態に行った布量で補正してもよい。これにより、脱水ステップ前の給水状態で布量を判定する場合において、洗濯ステップ時、布に含まれる水分量を考慮して布量を判定する必要がない。その結果、正確な布量が判定でき、脱水起動時の布量の補正を正確に行うことができる。
【０１７９】
また、本発明のドラム式洗濯機は、回転体制御装置近傍の温度計測を行う温度検知部を、さらに備え、制御部は、振動検知部で検知した振動変位と布量検知部で検知した布量と温度検知部で検知した温度とに基づいて、脱水起動時に回転体制御装置を制御する構成としてもよい。
【０１８０】
この構成によれば、回転槽内の衣類のアンバランス状態を、振動検知部で検知した振動変位の値から判断する際に、布量検知部で検知した布量と、洗濯槽近傍で計測した温度により、正確に把握する。そして、把握したアンバランス状態に応じて、回転制御装置を制御する。これにより、脱水時において、適正な起動方法を選定して、回転槽の振動の発生を効果的に抑制できる。
【０１８１】
また、本発明のドラム式洗濯機は、制御部が、回転槽を共振回転数以下の所定回転数に維持した状態で、振動検知部で検知した振動変位から共振回転数時に回転槽の振動を抑制するように回転体制御装置を制御する起動判定部と、温度検知部で検知した温度から振動検知部で検知した振動変位の値を補正換算する温度補正部とを備えてもよい。
【０１８２】
この構成によれば、制御部の起動判定部は、まず、回転槽の回転数を共振回転数以下の所定回転数に維持する。温度補正部は、温度検知部で計測した回転体制御装置近傍の温度から、アンバランス状態を検出する振動検知部で検知した任意の１軸出力方向（左右方向）の振動変位の値に補正を行う。そして、温度に応じて算出したアンバランス量に基づいて、別の任意の１軸出力方向（前後方向）の振動変位の値を、さらに温度補正部で補正を行う。これにより、検知された温度に基づいて、アンバランス位置を正確に算出して、回転槽内の洗濯物の偏り状況を正確に把握することができる。そして、偏りの状況に応じて、対向（ボールを１つの位置に偏らせる）状態、または分散（ボールを回転体制御装置内で分散させて配置する）状態とするように、回転体制御装置（ボールバランサ）のボール位置を制御する。その結果、ドラムの回転が共振回転数を通過する際の、洗濯槽の振動を、さらに効果的に抑制することができる。
【０１８３】
また、本発明のドラム式洗濯機は、温度補正部が、温度検知部で検知した温度値から、回転体制御部装置の温度を推測する温度補完部をさらに備えてもよい。これにより、温度検知部を任意の位置に設置することができる。また、回転体制御装置の温度を直接検知する温度検知部を、特に設ける必要がない。その結果、部品点数を削減して、構成を簡略化できる。
【０１８４】
また、本発明のドラム式洗濯機は、温度補正部が、脱水ステップ前に温度計測を行い、測定された温度計測値から補正を行ってもよい。これにより、脱水ステップ前の状態で、複数回、洗濯機を動作させている場合でも、またはじめて動作させた場合でも、脱水ステップ前の温度上昇を考慮して、洗濯槽近傍の温度を計測することができる。その結果、脱水ステップの状況に応じて、正確な温度補正を行うことができる。
【０１８５】
また、本発明のドラム式洗濯機は、振動検知部を、洗濯槽の前方上部に設けてもよい。これにより、振動検知部を回転槽の前方でアンバランス状態が発生する際の振動が最も大きい位置に設けることができる。その結果、振動変位の値をより検出しやすくなるため、検知精度を向上できる。
【産業上の利用可能性】
【０１８６】
本発明は、脱水起動時において、ドラムが共振回転数を通過する際の振動を大幅に抑制して、安定な駆動が要望される家庭用および業務用のドラム式洗濯機やドラム式洗濯乾燥機に有用である。
【符号の説明】
【０１８７】
１，１０Ａ    ドラム式洗濯機本体（筐体）
３，３０Ａ    ドラム（回転槽）
４    ドラムプーリ
５    モータプーリ
６    ベルト
７    バッフル
８    ボールバランサ（回転体制御装置）
９    ボール
１０，５０Ａ    振動検知部
１２，４０Ａ    モータ
１３    制御部
１５    ロータ位置検出部
１８    洗濯物
１９，２２０    ダンパ
２０Ａ，２２    洗濯槽
２３    温度検知部（温度センサ）
３０    アンバランス位置算出部
３１    アンバランス量算出部
６０Ａ    制御装置
７０Ａ    扉
１０１    電流検知部
１０２    布量検知部
１０３    回転位置検知部
１０４    布量補正部
１０６    温度補正部
１３１    起動判定部
１３２    回転制御部
１３３    駆動部
１８０    吊バネ
５０１    加速度センサ
５０２    フィルタ回路
５０３    マイクロコンピュータ
５０４    モータ制御回路
５０５    表示パネル回路
５０７    電源回路
５０８    アンバランス量検知部
５０９    アンバランス位置検知部
Ａ    アンバランス位置
【図１】
2014199627.tif 000003
【図２】
2014199627.tif 000004
【図３Ａ】
2014199627.tif 000005
【図３Ｂ】
2014199627.tif 000006
【図３Ｃ】
2014199627.tif 000007
【図３Ｄ】
2014199627.tif 000008
【図３Ｅ】
2014199627.tif 000009
【図４】
2014199627.tif 000010
【図５】
2014199627.tif 000011
【図６】
2014199627.tif 000012
【図７Ａ】
2014199627.tif 000013
【図７Ｂ】
2014199627.tif 000014
【図８】
2014199627.tif 000015
【図９】
2014199627.tif 000016
【図１０】
2014199627.tif 000017
【図１１】
2014199627.tif 000018
【図１２】
2014199627.tif 000019
【手続補正書】
【提出日】平成27年10月16日(2015.10.16)
【手続補正１】
【補正対象書類名】明細書
【補正対象項目名】全文
【補正方法】変更
【補正の内容】
【発明の詳細な説明】
【技術分野】
【０００１】
本発明は、回転体制御装置（ボールバランサ）を備えたドラム式洗濯機に関する。特に、洗濯衣類などのドラム内での偏りによるアンバランス状態を把握し、把握した状態に応じた起動方法で脱水ステップに移行して、起動時の振動抑制を行うドラム式洗濯機に関する。
【背景技術】
【０００２】
従来、この種のドラム式洗濯機は、濡れた衣類をドラム内に収容した状態では、ドラム内に衣類が不均一に分布している。そのため、ドラムを水平軸を中心に高速回転した場合、ドラム内の衣類がアンバランス状態で回転する。通常、ドラムの回転数は、起動から約２００ｒｐｍから４００ｒｐｍぐらいまでの間に最大の共振点を有する。これにより、振動や騒音、および振動による消費電力の増加などが発生する。そのため、ドラムを、容易に高速回転させることができない。
【０００３】
そこで、従来のドラム式洗濯機は、回転体制御装置（ボールバランサ）を備えている。そして、ドラムの回転速度が、ドラムの固有振動数よりも高い回転速度になると、ボールバランサ内のボールが衣類の偏りの反対位置に移動する。この作用により、ボールバランサ内のボールが、ドラム内の衣類の偏りの反対方向に移動して、衣類などによるアンバランス状態を解消している。
【０００４】
一般的に、ドラムが低速で回転する場合、ボールバランサ内のボールは、重力により、ボールバランサ内の底部に位置して上方向へ移動しない。一方、ドラムの回転速度が、ボールの重力を超える回転加速度が加わるような一定回転速度となった場合には、ボールバランサ内のボールは上方向へ移動する。つまり、ボールバランサ内のボールの動作を制御して、衣類の偏りに対してボールを適切な位置に配置することにより、アンバランス状態で発生するドラムの振動の抑制を行っている。
【０００５】
また、ボールバランサ内には、ボール以外に、例えばシリコーンオイルなどの流体が封入されている。これにより、ボールの衝突音の防止や、ボールバランサ内のボールの移動の安定化を図っている。
【０００６】
しかしながら、洗濯衣類などがドラム内でどのように偏っているのかを把握できない限り、その偏りに応じてボールを最適な位置に配置することができない。そこで、洗濯槽に設けた振動検知部で振動変位を検知して、衣類の偏りを把握する方法が開示されている（例えば、特許文献１参照）。
【０００７】
以下に、従来のドラム式洗濯機の一例として、特許文献１に記載された洗濯機について、図１１および図１２を用いて、説明する。
【０００８】
図１１は、従来のドラム式洗濯機の構成図である。図１２は、従来のドラム式洗濯機の制御ブロック図である。
【０００９】
図１１および図１２に示すように、従来のドラム式洗濯機は、ドラム式洗濯機本体１０Ａに、洗濯槽２０Ａが弾性的に固定して配設されている。洗濯槽２０Ａは、ドラム３０Ａを収納し、ドラム３０Ａを駆動するモータ４０Ａが洗濯槽２０Ａの背面の位置に設けられている。ドラム３０Ａの前面には、衣類投入口に設けた扉７０Ａが配置されている。また、洗濯槽２０Ａは、ドラム式洗濯機本体１０Ａの底部からダンパ２２０で支えられるとともに、ドラム式洗濯機本体１０Ａの上部に配置された吊バネ１８０、１９０により支えられている。
【００１０】
また、例えば加速度センサ５０１などから構成された振動検知部５０Ａは、洗濯槽２０Ａの後部底面に設けられ、洗濯槽２０Ａの振動を検知する。
【００１１】
制御装置６０Ａは、振動検知部５０Ａの検知信号に基づいて、ドラム３０Ａの駆動などを制御する。
【００１２】
そして、制御装置６０Ａは、図１２に示すように、少なくともマイクロコンピュータ５０３、モータ制御回路５０４、表示パネル回路５０５、電源回路５０７などから構成されている。マイクロコンピュータ５０３は、さらに、衣類の偏りなどを算出する、アンバランス量検知部５０８と、アンバランス位置検知部５０９などを備えている。マイクロコンピュータ５０３は、洗濯槽２０Ａの振動を検知する振動検知部５０Ａからの信号をフィルタ回路５０２を介して信号成分のみを取り込んで演算する。このとき、アンバランス量検知部５０８でアンバランス量を算出し、アンバランス位置検知部５０９でアンバランス位置の算出を行う。モータ制御回路５０４は、振動検知部５０Ａで検知した振動変位に基づいて、モータ４０Ａを駆動制御する。これにより、偏った衣類などのアンバランス状態を解消するように、ドラム３０Ａの回転を制御している。
【００１３】
より詳しくは、従来のドラム式洗濯機は、ドラム３０Ａの回転数を３００ｒｐｍに維持した状態で、振動検知部５０Ａで振動変位を検出する。その後、検知した３軸方向の検知信号に対して、それぞれの信号値の比率を求める。そして、求めた比率とその順位から、アンバランス位置検知部５０９でアンバランス位置を特定する。さらに、アンバランス位置毎のアンバランス量から、アンバランス量検知部５０８で、アンバランス量を算出する。これにより、制御装置６０Ａは、モータ４０Ａの回転を制御して、衣類のアンバランス状態を解消している。
【００１４】
しかしながら、従来のドラム式洗濯機の構成では、ドラム３０Ａ内の洗濯物の偏りによるアンバランス位置およびアンバランス量を、ドラム３０Ａの回転数を３００ｒｐｍに維持した状態で、振動検知部５０Ａで検知した振動変位から検出している。上述したように、通常、ドラム式洗濯機の共振回転数は、２００ｒｐｍから４００ｒｐｍ程度である。そのため、脱水ステップの起動時においては、共振点（共振回転数）近傍でドラム３０Ａの振動を検出することになる。
【００１５】
従って、脱水ステップの起動時には、共振点でのドラム３０Ａの振動が大きくなるため、ドラム３０Ａを回転起動できないことがある。そのため、アンバランス量およびアンバランス位置を特定できない場合がある。このとき、ドラム３０Ａの回転起動時において、共振点でのドラム３０Ａの振動変位が一定以下の条件の場合であれば、振動変位の検出が可能である。しかし、常に、共振点でのドラム３０Ａの振動変位が一定以下であるとは限らない。そのため、脱水ステップの起動が可能かどうかを、正確に検出できないという課題がある。そこで、脱水ステップにおいて、回転数を３００ｒｐｍまで上昇させようとして、アンバランス量およびアンバランス位置が特定できない場合には、一旦、ドラム３０Ａの回転を停止して、再び脱水ステップの起動を繰り返すなど、起動のやり直しなどにより対応していた。
【００１６】
また、従来のドラム式洗濯機では、衣類のアンバランス状態において、例えばアンバランス量が同じ４００ｇの場合でも、衣類の容量が、例えば１ｋｇ、３ｋｇ、６ｋｇ、９ｋｇなど、どのような容量であっても、起動のやり直しが起こりうる。つまり、衣類の容量が変わることにより、ドラム３０Ａの回転時における重量が変わる。そのため、同じアンバランス状態でも、振動の度合いが変化し、起動のやり直しが発生するという課題もある。
【先行技術文献】
【特許文献】
【００１７】
【特許文献１】特開２０１１−０３０９７２号公報
【発明の概要】
【００１８】
本発明は、脱水起動時に、ドラムの振動を抑制して、起動をスムーズに行うことにより、脱水ステップの起動のやり直しの発生を低減できるドラム式洗濯機を提供する。
【００１９】
そこで、本発明のドラム式洗濯機は、筐体と、筐体の内部に支持された洗濯槽と、洗濯槽内に回転可能に収納された回転槽と、回転槽を回転駆動する駆動部と、回転槽に設けた回転体制御装置と、洗濯槽に設けた振動検知部と、回転槽内の布量を算出する布量検知部と、振動検知部からの出力に基づいて駆動部を制御する制御部と、を備える。制御部は、振動検知部で検知した振動変位と布量検知部で検知した布量とに基づいて、脱水起動時に回転体制御装置を制御する構成を有する。
【００２０】
これにより、回転槽を構成するドラム内の洗濯物のアンバランス状態（アンバランス位置およびアンバランス量など）が同じ状態で、かつ回転槽内の布量が異なる場合でも、布量検知部で検出した布量と振動検知部で計測した振動に基づいて、アンバランス状態を共振回転数前に正確に把握する。そして、衣類のアンバランス状態（アンバランス量とアンバランス位置）に応じて回転体制御装置を制御することにより、洗濯槽の振動を抑制できる。その結果、起動の再立ち上げなどを繰り返す動作の発生を効果的に防止でき、脱水起動時の安定した動作ができる。
【図面の簡単な説明】
【００２１】
【図１】図１は、本発明の実施の形態１におけるドラム式洗濯機の構成図である。
【図２】図２は、同ドラム式洗濯機の制御ブロック図である。
【図３Ａ】図３Ａは、同ドラム式洗濯機の回転槽の円周方向の洗濯物のアンバランス状態を示す正面図である。
【図３Ｂ】図３Ｂは、同ドラム式洗濯機の回転槽の奥行き方向における前側のアンバランス状態を示す側面図である。
【図３Ｃ】図３Ｃは、同ドラム式洗濯機の回転槽の奥行き方向における後側のアンバランス状態を示す側面図である。
【図３Ｄ】図３Ｄは、同ドラム式洗濯機の回転槽の奥行き方向における中央側のアンバランス状態を示す側面図である。
【図３Ｅ】図３Ｅは、同ドラム式洗濯機の回転槽の奥行き方向における対角のアンバランス状態を示す側面図である。
【図４】図４は、同ドラム式洗濯機における洗濯物がアンバランス状態にあるときのモータの電流値の変化を示す図である。
【図５】図５は、同ドラム式洗濯機のアンバランス量と振動検知部で検知した左右振動変位との関係を、衣類容量をパラメータとして示す相関図である。
【図６】図６は、同ドラム式洗濯機のアンバランス位置と振動検知部で検知した前後振動変位との関係を、アンバランス量をパラメータとして示す相関図である。
【図７Ａ】図７Ａは、従来の流体バランサを設けたドラム式洗濯機のドラムを回転した場合の左右振動変位の出力波形を示す図である。
【図７Ｂ】図７Ｂは、本発明の実施の形態の回転体制御装置（ボールバランサ）を搭載したドラム式洗濯機のドラムを回転した場合の左右振動変位の出力波形を示す図である。
【図８】図８は、本発明の実施の形態２におけるドラム式洗濯機の制御ブロック図である。
【図９】図９は、同ドラム式洗濯機のアンバランス量と振動検知部で検知した左右振動変位との関係を、温度をパラメータとして示す相関図である。
【図１０】図１０は、同ドラム式洗濯機のアンバランス位置と振動検知部で検知した前後振動変位との関係を、アンバランス量をパラメータとして示す相関図である。
【図１１】図１１は、従来のドラム式洗濯機の構成図である。
【図１２】図１２は、従来のドラム式洗濯機の制御ブロック図である。
【発明を実施するための形態】
【００２２】
以下に、本発明の実施の形態について、図面を参照しながら説明する。なお、実施の形態によって本発明が限定されるものではない。
【００２３】
（実施の形態１）
以下に、本発明の実施の形態１におけるドラム式洗濯機について、図１および図２を用いて説明する。
【００２４】
図１は、本発明の実施の形態１におけるドラム式洗濯機の構成図である。図２は、同ドラム式洗濯機の制御ブロック図である。
【００２５】
図１および図２に示すように、本実施の形態のドラム式洗濯機は、少なくとも筐体を構成するドラム式洗濯機本体１と、ドラム式洗濯機本体１内に収容される洗濯槽２２、回転槽を構成するドラム３、モータ１２、回転体制御装置を構成するボールバランサ８、振動センサなどで構成される振動検知部１０、制御部１３などから構成されている。
【００２６】
洗濯槽２２は、内部に回転槽を構成するドラム３を収容し、ダンパ１９で、筐体を構成するドラム式洗濯機本体１に支えられている。ドラム３は、洗濯物１８を収納する。ドラム３の内周壁には、例えば３枚で構成されるバッフル７が設けられ、ドラム３の回転時に洗濯物１８を持ち上げて撹拌をする。なお、ドラム３は、例えば水平軸または傾斜回転軸を備え、洗濯槽２２内に回転可能に収容されている。
【００２７】
また、回転体制御装置を構成するボールバランサ８は、ドラム３の正面側の洗濯物投入口側に設けられている。ボールバランサ８は、内部に複数のボール９（例えば、鉄玉）および、例えば粘性１００ｃｓで温度特性を有する所定の粘性のオイル（例えば、シリコーンオイル）が封じ込められている。そして、ボールバランサ８は、ドラム３と一緒に回転し、ボールバランサ８内に、例えば一列に並んだボール９が内部のオイルの粘性により自由に回転方向に移動できる構成を備えている。
【００２８】
また、振動検知部１０は、洗濯槽２２の正面側（前面側）上部に設けられ、例えば３軸などの多軸方向の振動を検知する。具体的には、振動検知部１０は、洗濯槽２２の上部の左右方向の振動変位（左右振動変位）、前後方向の振動変位（前後振動変位）、上下方向の振動変位（上下振動変位）を検知する。そして、制御部１３は、振動検知部１０で検知した各方向の振動変位の大きさに基づいて、ドラム３の回転数を上昇または停止、維持などを判断して制御する。
【００２９】
また、ドラム３の背面側には、ドラム３と同一軸に設けたドラムプーリ４が設けられている。そして、ドラム３は、モータプーリ５からベルト６を介してドラムプーリ４にモータ１２の駆動が伝達されて回転する。
【００３０】
また、モータ１２は、モータ１２のロータ位置を検出するロータ位置検出部１５を備えている。ロータ位置検出部１５は、モータ１２のロータ位置を検出して、制御部１３の回転制御部１３２に信号を伝達する。回転制御部１３２は、ロータ位置の信号に基づいて、駆動部１３３を介してモータ１２の回転駆動を制御する。なお、モータ１２は、例えば永久磁石同期モータで構成される。そして、モータ１２のロータ位置をロータ位置検出部１５で検出して、制御部１３の回転制御部１３２に入力する。これにより、モータ１２が脱調することなく回転制御される。
【００３１】
また、図２に示すように、ドラム式洗濯機本体１の駆動制御を行う制御部１３は、起動判定部１３１と、上述した回転制御部１３２などを有している。起動判定部１３１は、電流検知部１０１と、布量検知部１０２と、回転位置検知部１０３と、布量補正部１０４と、アンバランス位置算出部３０と、アンバランス量算出部３１などから構成されている。電流検知部１０１は、モータ１２に流れる電流を検出する。回転位置検知部１０３は、電流検知部１０１で検知する電流の変化から洗濯物１８の偏りによるドラム３内の円周方向のアンバランス位置を検出する。アンバランス量算出部３１は、振動検知部１０で検知する左右振動変位からドラム３内の洗濯物１８のアンバランス量を算出する。アンバランス位置算出部３０は、アンバランス量算出部３１で算出したアンバランス量に基づいて、振動検知部１０で検知する前後振動変位からドラム３の奥行き方向における洗濯物１８のアンバランス位置を算出する。布量検知部１０２は、ドラム３内の洗濯物１８の容量などの布量を検知する。布量補正部１０４は、布量検知部１０２で検知した布量から、振動検知部１０で検知した振動変位の値を補正する。
【００３２】
また、制御部１３の回転制御部１３２は、上述したように、内部にモータ１２を駆動する駆動部１３３を備えている。駆動部１３３は、ロータ位置検出部１５で検出したモータ１２のロータ位置の信号に同期させて、モータ１２を駆動する。
【００３３】
そして、モータ１２は、図１に示す減速機構を構成するモータプーリ５、ベルト６およびドラムプーリ４を介して、ドラム３を回転させる。このとき、ドラム３の回転により発生する洗濯槽２２の振動変位を振動検知部１０で検知する。
【００３４】
以下に、本実施の形態のドラム式洗濯機において、ドラム３の回転にともなって発生する洗濯物１８のアンバランス状態について、図３Ａから図４を用いて具体的に説明する。
【００３５】
図３Ａは、同ドラム式洗濯機の回転槽の円周方向の洗濯物のアンバランス状態を示す正面図である。図３Ｂは、同ドラム式洗濯機の回転槽の奥行き方向における前側のアンバランス状態を示す側面図である。図３Ｃは、同ドラム式洗濯機の回転槽の奥行き方向における後側のアンバランス状態を示す側面図である。図３Ｄは、同ドラム式洗濯機の回転槽の奥行き方向における中央側のアンバランス状態を示す側面図である。図３Ｅは、同ドラム式洗濯機の回転槽の奥行き方向における対角のアンバランス状態を示す側面図である。
【００３６】
なお、図３Ａは、洗濯物１８がドラム３の内壁に張り付いた状態でアンバランス位置Ａが発生している状態を正面から見た図で示している。図３Ｂは、洗濯物１８のアンバランス位置Ａが前側（正面側）で発生した状態を示している。図３Ｃは、洗濯物１８のアンバランス位置Ａが後側で発生した状態を示している。図３Ｄは、洗濯物１８のアンバランス位置Ａがドラム３の中央側で発生した状態を示している。図３Ｅは、洗濯物１８のアンバランス位置Ａがドラム３の対角で発生している状態を示している。
【００３７】
図４は、同ドラム式洗濯機における洗濯物がアンバランス状態にあるときのモータの電流値の変化を示す図である。具体的には、回転するドラム３内でアンバランス位置Ａが下方にあるときは、アンバランスの重量に逆らって上方に持ち上げることになる。そのため、電流を多く消費し、電流検知部１０１が検知する電流値は増加する。逆に、アンバランス位置Ａがドラム３の上部にあるときは、アンバランスの重量を重力にしたがって下方に持っていくために最少の電流消費となる。そのため、電流検知部１０１が検知する電流値は減少する。このように、ドラム３にアンバランスがあるときは、モータ１２の電流値は変動し、電流変化はアンバランス位置Ａの回転とリンクする。また、電流値はアンバランスの量に比例して大きくなる。
【００３８】
まず、図３Ａは、洗濯物１８のアンバランス位置Ａが、矢印で示すドラム３の円周方向に回転し、ドラム３の外周に設けられた回転体制御装置を構成するボールバランサ８内のボール９が底部に偏っている状態を示している。図４は、その回転状態でのモータ１２の電流値の変化を示している。これは、洗濯物１８がドラム３の内壁に張り付く最低回転数以上で、かつボールバランサ８内のボール９がドラム３の回転とともに回転しない最大回転数以下で、ドラム３が回転している状態を示している。具体的には、最低回転数は、例えば約６０ｒｐｍから７０ｒｐｍで、洗濯物１８にかかる重力とドラム３の遠心力が均衡する回転数に相当する。一方、最大回転数は、通常、オイルの粘性とボール９の重量に依存するが、ボールバランサ８内に封じ込められた所定の粘性を有するオイルによりボール９が底部に偏る、例えば約８０ｒｐｍの回転数に相当する。そのため、上記状態の場合、８０ｒｐｍ以上でドラム３が回転すると、ドラム３の回転より遅れて、ボール９が、ボールバランサ８内を回転移動することになる。
【００３９】
そして、図３Ａに示す状態において、ドラム３内の洗濯物１８が回転した場合、アンバランス位置Ａのみがアンバランス状態として、電流検知部１０１により、図４に示すようなモータ１２の電流値の変化として検出される。つまり、図４は、洗濯物１８のアンバランス位置Ａがドラム３の最底部から最上部へ移動すると、モータ１２を駆動する電流値が、ドラム３の回転周期に同期して最小電流値ｂから最大電流値ａへの変化（電流差分ｄ）として検出できることを示している。これにより、同じ回転数でドラム３を駆動する間中、回転数に同期した繰り返し周期ｃで、電流検知部１０１により、モータ１２の電流値の変化として検出される。
【００４０】
しかし、通常、実際の洗濯物１８の位置により、アンバランス位置Ａは複雑に変化する。具体的には、図３Ｂから図３Ｅに示すように、大きく４つに分類できる。例えば、図３Ｂのように、ドラム３の奥行き方向（前後方向）において、アンバランス位置Ａがドラム３の前方にある場合や、図３Ｃに示すように、アンバランス位置Ａが後側にある場合などがある。また、図３Ｄのように、アンバランス位置Ａがドラム３の中央側（中間位置）にある場合や、図３Ｅに示すように、アンバランス位置Ａがドラム３の前側と後側の対角位置（例えば、１８０度）にある場合がある。
【００４１】
なお、図３Ａに示す状態において、ドラム３内の衣類容量（布量）が変化する場合、以下のことが実験値から得られている。例えば、衣類容量が増加すると、ドラム３の質量の増加により慣性が大きくなるため、ドラム３の振動変位の値が安定する。一方、衣類容量が少なくなるに従って、ドラム３の質量が小さくなるため、ドラム３の振動変位の値が大きくなる。つまり、衣類容量により、ドラム３の回転にともなって発生する振動変位が変化することが実験値から示されている。
【００４２】
そのため、図４で説明したモータ１２を駆動する電流値の変化だけでは、衣類容量の変化によるアンバランス位置やアンバランス量などの多様なアンバランス状態を、正確に把握して、制御することが困難である。
【００４３】
そこで、本実施の形態では、衣類容量の変化によるアンバランス位置およびアンバランス量などの多様なアンバランス状態を、振動検知部１０で検知して、制御している。この制御においては、まず、衣類容量の変化による振動変位とアンバランス状態（アンバランス量およびアンバランス位置）との関係を図５と図６のように実験的に測定する。そして、実験的に測定された結果を利用して、実際の運転時の衣類容量に応じてアンバランス状態をより正確に検知して制御している。
【００４４】
以下に、本実施の形態のドラム式洗濯機において、アンバランス状態を検知する方法について、図５および図６を用いて、説明する。
【００４５】
図５は、同ドラム式洗濯機のアンバランス量と振動検知部で検知した左右振動変位との関係を、衣類容量をパラメータとして示す相関図である。詳細には、図中のＳ１は、衣類容量が小容量の場合における、アンバランス量と左右振動変位との関係を示している。同様に、Ｓ２は衣類容量が中容量の場合、Ｓ３は衣類容量が大容量の場合の関係を示している。なお、特に限定するものではないが、本実施の形態では、小容量は大容量の２０％、中容量は大容量の６０％、大容量は定格容量、の衣類容量としている。また、容量の区分は３つに限られるものではなく、区分が多いほどアンバランス状態を正確に把握できる。
【００４６】
さらに、図中のＳ１１は、アンバランス量が５００ｇにおける、衣類容量が小容量の場合のＳ１上の左右振動変位を示している。同様に、Ｓ２１は衣類容量が中容量の場合、Ｓ３１は衣類容量が大容量の場合の、Ｓ２およびＳ３上の左右振動変位を示している。
【００４７】
また、図６は、同ドラム式洗濯機のアンバランス位置と振動検知部で検知した前後振動変位との関係を、アンバランス量をパラメータとして示す相関図である。詳細には、図中のＺ１からＺ７は、衣類容量が小容量の場合の１００ｇから２０００ｇに相当する各アンバランス量を示している。そして、図中のＣ１は、衣類容量が小容量の場合のアンバランス量が５００ｇにおける、アンバランス位置と前後振動変位との関係を示している。同様に、Ｃ２は衣類容量が中容量の場合、Ｃ３は衣類容量が大容量の場合の、アンバランス量が５００ｇにおける、アンバランス位置と前後振動変位との関係を示している。なお、衣類容量が中容量と大容量で、アンバランス量が５００ｇの場合以外の相関図は記載していない。
【００４８】
さらに、図中のＣ１１は、アンバランス量が５００ｇにおいて、衣類容量が小容量でアンバランス位置が「前中」の場合の、Ｃ１上の前後振動変位を示している。同様に、Ｃ２１は衣類容量が中容量の場合、Ｃ３１は衣類容量が大容量の場合の、Ｃ２およびＣ３上のアンバランス位置が「前中」における前後振動変位を示している。
【００４９】
このとき、図５は、振動検知部１０で検知した左右振動変位とアンバランス量との関係が、以下の条件でドラム３を駆動した場合、アンバランス位置Ａが図３Ｂから図３Ｅに示す位置関係に関わらず、相関関係にあることを示している。条件は、ドラム３をボールバランサ８のボール９が底部に固定されずに回転する回転数を、例えば９０ｒｐｍから１５０ｒｐｍの範囲で維持した状態で、左右振動変位とアンバランス量を検知した場合である。この回転数は、ドラム３の共振回転数より低く、アンバランス状態の検知に都合が良い。
【００５０】
なお、本実施の形態では、回転数を１２０ｒｐｍで維持した状態で、衣類容量毎に左右振動変位とアンバランス量の関係を実験的に測定した結果を、図５に示している。同様に、回転数を１２０ｒｐｍで維持した状態で、衣類容量が小容量においてアンバランス量毎に前後振動変位とアンバランス位置の関係を実験的に測定した結果を、図６に示している。
【００５１】
ここで、図５と図６を得る具体的な測定方法について説明する。まず、例えばドラム３の内壁面に、衣類容量に相当する重りを均等に配置する。つぎに、アンバランス量に相当する重り（例えば、５００ｇなど）を、所定のアンバランス位置に配置した状態で、ドラム３を回転駆動する。そして、上記状態でドラム３を回転させたときに発生する左右振動変位や前後振動変位を検知し、図５や図６にプロットしている。
【００５２】
以下に、図５において、左右振動変位とアンバランス量との関係が、アンバランス位置Ａが図３Ｂから図３Ｅに示す奥行き方向の位置関係に関わらず、相関関係にある理由について説明する。
【００５３】
まず、ドラム３の回転軸が洗濯槽２２の背面側を軸に支持固定され、振動検知部１０を軸から離れた距離にある前側の上部に設けている。そのため、ドラム３の奥行き方向のアンバランス位置に前後振動変位および上下振動変位は影響されるが、左右振動変位への影響は小さい。つまり、奥行き方向のアンバランス位置に、左右振動変位は、影響されない。これにより、アンバランス量と左右振動変位との関係を、精度よく得ることができる。
【００５４】
一方、左右振動変位は、上述したように、ドラム３の内部に収容される衣類容量の増減により影響を受ける。つまり、衣類容量の増加によりドラム３全体の重量が増加すると、振動の始まりには重量による慣性が振動を抑制する方向に働く。そこで、図５には、布量検知部１０２で洗濯前（例えば、洗濯水を供給する前）に検知した衣類容量から、小容量時の左右振動変位とアンバランス量との関係をＳ１で示し、同様に、中容量時の関係をＳ２で、大容量時の関係をＳ３で示している。
【００５５】
具体的には、例えば衣類容量が小容量時において、振動検知部１０で検知した左右振動変位が３．０ｍｍの場合、Ｓ１上のＳ１１から、アンバランス量が５００ｇであることを示している。これに対して、アンバランス量が５００ｇで同じであれば、中容量時においては、Ｓ２上のＳ２１から左右振動変位が１．０ｍｍと小さくなり、大容量時においては、Ｓ３上のＳ３１から左右振動変位が０．８ｍｍとさらに小さくなる。従って、衣類容量を小容量とすると、左右振動変位が１．０ｍｍの場合、Ｓ１からアンバランス量が４００ｇであると示される。さらに、左右振動変位が０．８ｍｍの場合、Ｓ１からアンバランス量が３００ｇであると示される。つまり、アンバランス量が同じ場合でも、上述したように、衣類容量により左右振動変位が異なる。その結果、左右振動変位だけでアンバランス量を判断すると、図２に示す制御部１３の起動判定部１３１は、アンバランス量を誤判定し、起動方法を誤る可能性がある。
【００５６】
また、図６に示す前後振動変位とアンバランス位置との関係から、図中にＺ１からＺ７で示すアンバランス量毎の特性を用いて、ドラム３の奥行き方向におけるアンバランス位置を算出することができる。なお、図６に示す、洗濯槽２２の前後振動変位と、アンバランス量毎のアンバランス位置を示す関係は、上述したように実験的に得られたデータである。
【００５７】
つまり、振動検知部１０の前後変位は、以下の条件でドラム３を駆動した場合、アンバランス量毎にドラム３の奥行き方向のアンバランス位置により前後振動変位として検出できる。条件は、ドラム３をボールバランサ８のボール９が底部に固定されずに回転する回転数、例えば９０ｒｐｍから１５０ｒｐｍの範囲を維持した状態で、ドラム３を回転させる場合である。なお、本実施の形態では、回転数を１２０ｒｐｍで維持した状態で、前後振動変位とアンバランス位置との関係を実験的に測定しており、図６では、上述したように、アンバランス量が５００ｇの場合を除いて、衣類容量が小容量の場合のみを示している。
【００５８】
ここで、前後振動変位を検出できる理由は、まず、ドラム３の回転軸が洗濯槽２２の後方部を軸として支持され、軸から離れた前方上部の位置に振動検知部１０を設けている。これにより、アンバランス量を示す左右振動は明確に現れる。そして、アンバランス位置の違いを示す前後振動は、アンバランス位置がドラム３内の軸側にある場合は小さく、前側にある場合は大きくなる。そのため、振動検知部１０で検知される前後振動変位に、ドラム３の奥行き方向のアンバランス位置を示す特性が表れる。つまり、ドラム３の奥行き方向のアンバランス位置を、実験結果から得られた図６を用いて判定できる。
【００５９】
具体的には、例えば布量検知部１０２で検知した衣類容量が小容量の場合、左右振動変位が３．０ｍｍで、前後振動変位が１．０ｍｍであれば、図５のＳ１１からアンバランス量は５００ｇと読み取れる。そして、読み取ったアンバランス量を図６のＣ１１に当てはめることにより、アンバランス位置が「前中」にあることを検知できる。
【００６０】
このようにして、例えばアンバランス量は５００ｇとして、衣類容量が中容量の場合、前後変位が０．９ｍｍと計測されると、中容量時の特性を示すＣ２から前後のアンバランス位置がＣ２１と示される。さらに、衣類容量が大容量の場合、前後振動変位が０．８ｍｍと計測されると、大容量時の特性を示すＣ３から前後のアンバランス位置がＣ３１と示される。つまり、衣類容量と前後振動変位の値が変化しても、いずれもアンバランス位置を、「前中」と判定することができる。
【００６１】
このように、図５と図６のような関係を実験により得られた値から補正式（近似式）として布量補正部１０４で把握しておく。これにより、布量検知部１０２で検知した衣類容量と、振動検知部１０で検知される左右振動変位と前後振動変位とから、アンバランス量とアンバランス位置を正確に算出して、適切な起動制御を行うことができる。なお、布類容量やアンバランス量の実験では得られていない詳細な値に対しても、布量補正部１０４の補正式により補間して算出することが可能である。
【００６２】
また、図５および図６を得る場合において、例えば衣類容量が小容量の場合のみ実験を行って相関図を把握する。そして、中容量や大容量については、小容量の相関図を基準にして、布量による補正を布量補正部１０４で行うようにしてもよい。もちろん、基準とする衣類容量は、特に限定されるものではない。ここで、図６が小容量の場合のみ実験を行った相関図である場合を示す。
【００６３】
例えば、布量検知部１０２で検知した衣類容量が大容量の場合、左右振動変位が０．８ｍｍで、前後振動変位が１．０ｍｍであれば、図５の大容量のＳ３１からアンバランス量は５００ｇと読み取れる。そして、読み取ったアンバランス量を図６の小容量の衣類のアンバランス量がＺ４（５００ｇ）に当てはめる。この場合、そのままではアンバランス位置が「前中」にあることを検知できるが、これは小容量の実験値を基に検知した結果である。そこで、例えば関連する実験値などから、大容量時の特性を示すＣ３となるように補正値を決めておくとする。このＣ３で前後振動変位が１．０ｍｍとなるのはＣ３２に示され、アンバランス位置がほぼ「前」にあることを検知できる。しかし、上記と同様の条件において、衣類容量の補正を行わない場合、衣類容量を振動検知部１０の振動変位の値通りに小容量で判定すると、図６のＣ１からアンバランス位置を判定することになる。その結果、アンバランス位置を誤ってしまうこととなる。
【００６４】
このようにして、本実施の形態では、布量検知部１０２で検知した衣類容量毎に、例えばＺ４に示すアンバランス量５００ｇの場合のＣ１を、図６に示すＣ２およびＣ３のように布量補正部１０４で補正を行う。これにより、例えば衣類容量が小容量の場合、振動検知部１０で前後振動変位が１．０ｍｍと計測されると、小容量時の特性を示すＣ１から前後のアンバランス位置がＣ１１と示される。また、衣類容量が中容量の場合、前後変位が０．９ｍｍと計測されると、中容量時の特性を示すＣ２から前後のアンバランス位置がＣ２１と示される。さらに、衣類容量が大容量の場合、前後振動変位が０．８ｍｍと計測されると、大容量時の特性を示すＣ３から前後のアンバランス位置がＣ３１と示される。つまり、衣類容量を布量補正部１０４で補正することにより、振動検知部１０で検知した前後振動変位の値が変化しても、いずれもアンバランス位置を、「前中」と判定することができる。なお、衣類容量が増加すると振動を抑制する方向になる特性が、それぞれの衣類のアンバランス量に応じて、同様に表れることは実験値から確認している。
【００６５】
以下に、本実施の形態のドラム式洗濯機に用いる回転体制御装置であるボールバランサと従来の流体バランサの特性を、図７Ａおよび図７Ｂを用いて、比較して説明する。
【００６６】
図７Ａは、従来の流体バランサを設けたドラム式洗濯機のドラムを回転した場合の左右振動変位の出力波形を示す図である。図７Ｂは、本発明の実施の形態の回転体制御装置（ボールバランサ）を搭載したドラム式洗濯機のドラムを回転した場合の左右振動変位の出力波形を示す図である。なお、図中に示すＴＨ１およびＴＨ２は、１２０ｒｐｍで回転するドラム３が４回転する時間を示している。
【００６７】
まず、図７Ａに示すように、従来のドラム式洗濯機は、バランサ機能としてドラムの前方の円周上に設けた流体バランサ（バランサ内部に液体を封入）を用いている。このとき、ドラムを回転数１２０ｒｐｍ（例えば、９０ｒｐｍから１５０ｒｐｍの範囲内）に維持した状態で回転した場合、流体バランサ内の液体は、常に移動し、時間とともに拡散や偏りを生じる。そのため、振動検知部で検知される左右振動変位は、波形Ｈ１に示すように、ドラムの回転に非同期かつ偏りが一定でないために左右振動変位が一定でなく上昇し、左右振動変位が常に変わる状態を示す。つまり、従来の流体バランサでは、常に同じ状態の左右振動変位にならず、変動幅や変化の度合いが決められない状態で左右振動変位が検出される。その結果、制御部は、洗濯槽の本当の左右振動変位を算出することが難しい。
【００６８】
一方、図７Ｂに示すように、本実施の形態のドラム式洗濯機は、ボールバランサを搭載している。この場合、洗濯槽２２の前方上部に設けた振動検知部１０の左右振動変位に示すように、ドラム３を回転数１２０ｒｐｍ（例えば、９０ｒｐｍから１５０ｒｐｍの範囲内）に維持した状態で回転した場合、所定の粘性を持ったオイルにより、ボールバランサ８内のボール９は、ほぼ一定の位置に偏る状態となる。これにより、ボールバランサ８内のボール９は、ドラム３の回転数より、ほぼ一定回転数遅れた回転数で回転する。そのため、図７Ｂの波形Ｈ２に示すように、左右振動変位は、一定の振幅範囲でドラム３の回転周期に同期して変動する。
【００６９】
従って、ボールバランサ８を用いた場合、ドラム３の回転数とボール９の回転数が一定の回転数遅れた状態で回転する。そのため、洗濯槽２２の左右振動変位は、洗濯物１８のアンバランス位置Ａとボール９の偏りとが打ち消しあう状態や重なり合う状態を、一定周期で繰り返す。これにより、洗濯槽２２の左右振動変位は、一定の変動周期と一定の振幅変動で検出される。その結果、ボールバランサ８を用いた場合、振動検知部１０は、一定の振動周期と一定の振幅変動の範囲から、左右振動変位の値を容易に検知できる。
【００７０】
このとき、上述したように、衣類容量が増加すると、衣類の慣性により振動を抑制する方向になる特性から、左右振動変位の振幅値は大容量時に小さく、小容量時に大きくなる。しかし、左右振動変位の繰り返し動作は、上記と同様の動作を示す。つまり、衣類容量が変化する場合でも、正確に左右振動変位を検出することが可能となる。ここで、一般的に、左右振動変位は、例えば最大変位と最小変位との差分を平均することにより算出される。このとき、ボールバランサ８内のボール９は、アンバランスの円周方向位置と重なる位置に移動すると振動変位をより大きくし、アンバランスの円周方向位置と対向する位置に移動すると振動変位をより小さくするように作用する。従って、最大変位と最小変位との差分に対するボール９の影響は、相殺されて問題ない。なお、本実施の形態では、１２０ｒｐｍで回転するドラム３の回転期間で検出する左右振動変位の平均を算出して、左右振動変位の真値を算出している。この回転数は、共振回転数から離れた９０ｒｐｍから１５０ｒｐｍの範囲内であれば問題ない。特に、１２０ｒｐｍ近傍ではボールバランサ８内のボール９の挙動がより安定しており、左右振動変位の検出精度を向上できる。
【００７１】
なお、本実施の形態では、振動検知部１０として、３軸などの多軸方向の振動変位を検知する振動センサを例に説明したが、これに限られない。例えば、加速度センサで構成してもよい。つまり、加速度から演算により変位を算出する場合でも、同様に、左右振動変位を検出できる。加速度センサは、半導体加速度センサ、圧電型加速度センサなどのいずれでもよい。また、３軸方向のセンサ以外に、２軸のセンサや、１軸のセンサを組み合わせて検出することも可能である。
【００７２】
以上のように、本実施の形態のドラム式洗濯機が構成されている。
【００７３】
以下に、本実施の形態におけるドラム式洗濯機の動作および作用について、図１から図７Ｂを参照しながら説明する。
【００７４】
まず、本実施の形態のドラム式洗濯機本体１は、洗濯ステップ前、例えば洗濯水を給水する前に、ドラム３を動作させて、ドラム３内に収容されている洗濯物１８の量を布量検知部１０２で判定する。これにより、制御部１３は、測定された布量に基づいて、洗濯時間や洗剤量を算出して表示する。同時に、脱水ステップ前に、洗濯物１８のアンバランス状態（アンバランス量およびアンバランス位置）を把握する。なお、把握したアンバランス状態は、衣類容量における補正に利用する。
【００７５】
つぎに、洗いステップおよびすすぎステップが終了後、洗濯槽２２内部の洗濯水を排水する。そして、洗濯物１８を脱水する脱水ステップを行う。しかし、脱水ステップを行う場合、洗濯物１８がドラム３内部に均一の状態で位置していることは、ほとんどない。つまり、洗濯物１８は、例えばドラム３の底部に偏るなど、ほとんどアンバランス状態で配置されている。
【００７６】
そこで、通常、上記アンバランス状態を解消するため、洗濯水を排水後に、ドラム３をゆっくり回転させる。これにより、偏った洗濯物１８の塊をほぐして、アンバランス状態をできる限り解消している。しかし、ほぐし動作を行っても、水分を含んだ洗濯物１８は、重力により、必ずドラム３内の底部に偏る傾向がある。そのため、アンバランス状態が残った状態で、脱水ステップを開始することになる。
【００７７】
そして、脱水ステップにおいて、ドラム式洗濯機本体１の洗濯槽２２が、ドラム３が共振回転数（例えば、２００ｒｐｍから４００ｒｐｍの間）を通過する際に大きく振動して、規定の振動変位を超える場合には、制御部１３はドラム３の回転を停止する。その後、制御部１３は、再度、洗濯物１８の偏りを解消するために、ドラム３をゆっくり回転させて、洗濯物１８のほぐしステップを行う。そして、制御部１３は、再度、脱水ステップの起動を行う。
【００７８】
しかし、通常、ドラム３の共振回転数時には、洗濯物１８の偏り（アンバランス状態）により、ドラム３は、少なくともゼロ（無負荷）以外の状態にあるため、必ず洗濯槽２２に振動が発生する。
【００７９】
そこで、本実施の形態では、振動を抑制して脱水起動を成功させるために、まず、ドラム３を共振回転数より低い回転数（例えば、１２０ｒｐｍ）で回転させる。その状態で、ドラム３の前方上部の洗濯槽２２に設けた振動検知部１０で、左右振動変位や前後振動変位などを測定する。そして、検知した各振動変位から洗濯物１８のアンバランス量および奥行き方向のアンバランス位置を判定する。さらに、判定したアンバランス量およびアンバランス位置のアンバランス状態に基づいて、共振回転数までのドラム３の立ち上げ方法を決定し、ボールバランサ８を制御する。これにより、ボールバランサ８内の最適な位置にボール９を配置して、ドラム３が共振回転数を通過するときの振動を抑制する。
【００８０】
ここで、上記のボールバランサ８内での最適なボール９の配置とは、例えばアンバランス状態のアンバランス量が大きい場合やドラム３の前方に洗濯物１８が位置している場合、アンバランス状態に対向する位置にボール９を偏るように配置する対向状態とすることである。あるいは、アンバランス量が小さい場合やドラム３の後方に洗濯物１８が位置している場合には、ドラム３の回転数や加速度を増減させ、ボール９をボールバランサ８の円周方向にほぼ均等（均等を含む）に配置して、小さいアンバランス量に見合ったボール９の偏りが小さい状態で配置する分散状態とすることである。これらにより、ドラム３内の洗濯物１８の偏りに対して、ボールバランサ８内のボール９の最適配置を行う。そして、ドラム３が共振回転数を通過する場合に発生する振動を抑制して、安定した起動動作を実現している。
【００８１】
さらに、対向状態に制御する対向起動と、分散状態に制御する分散起動について、ドラム３の回転数の立ち上げ方の一例について、以下で説明する。
【００８２】
対向起動を行うときには、例えばドラム３の回転数を１２０ｒｐｍから７０ｒｐｍに低下させ、そのときのモータ１２の電流値を確認する。この場合、電流値は、図４で示すように規則的に変動している。そこで、ボール９がアンバランス位置と対向状態となる電流の最小値を見計らって、ドラム３の回転数を一気に増加させ、共振回転数を通過させる。なお、一気に増加させるタイミングは、条件により異なるので、実験により最適なタイミングを決定する。
【００８３】
また、分散起動を行うときには、例えば、１２０ｒｐｍと９０ｒｐｍを一定時間で繰り返す。または、その回転数の範囲で加速と減速を繰り返す。これにより、ボール９は移動度合いが不均一になり、分散する。なお、回転数の変化については、実験で決定してもよいし、モータ１２の電流値の変化を確認しながら制御してもよい。そして、電流値が大きくならないことを確認しながら、ドラム３の回転数を増加させ、共振回転数を通過させる。
【００８４】
以下に、本実施の形態におけるドラム３が共振回転数を通過する際に発生する振動を抑制する、脱水時の起動動作について、説明する。
【００８５】
脱水ステップでは、制御部１３は、回転制御部１３２の指令により、駆動部１３３を介してモータ１２に駆動電圧を印加する。これにより、モータ１２を徐々に低速回転から高速回転に動作させ、ドラム３の回転速度を徐々に上昇させる。
【００８６】
つぎに、制御部１３の回転制御部１３２は、ドラム３の回転数が約１２０ｒｐｍとなるように、モータ１２を制御し、その状態を維持する。そして、ドラム３が約１２０ｒｐｍで回転する状態で、ドラム３の前方上部の洗濯槽２２に設けた振動検知部１０で、洗濯槽２２の左右振動変位および前後振動変位を検出する。このとき、ドラム３の回転数は、共振回転数未満であるため、安定した振動変位で検出できる。また、ボールバランサ８の内部のボール９は、オイルの粘性により一ヶ所に偏った状態で、ドラム３の回転数と非同期で、かつ一定回転数遅れた状態で回転する。これにより、図７Ｂの波形Ｈ２に示すような、一定の振動周期と一定の振幅変動で左右振動変位が検出される。その結果、制御部１３の起動判定部１３１は、洗濯槽２２の左右振動変位の値を平均することにより、左右振動変位の真値を容易に算出できる。
【００８７】
しかし、上記で説明したように、ドラム３内に収容される衣類容量に、振動検知部１０で検知する振動変位は、影響を受ける。具体的には、図５および図６に示すように、衣類容量が大容量時には、振動変位はＳ３およびＣ３の特性を示す。また、中容量時には振動変位は、Ｓ２およびＣ２の特性を示し、小容量時には振動変位はＳ１およびＣ１の特性を示すように影響を受ける。
【００８８】
そこで、本実施の形態では、まず、制御部１３の起動判定部１３１は、布量検知部１０２により、洗濯物１８の容量を洗濯ステップ開始前（給水前）に検出し、検出した容量に基づいて、布量補正部１０４で、例えば振動変位を補正する。具体的には、図５と図６のような関係を実験により得られた値から補正式（近似式）として把握している布量補正部１０４は、振動検知部１０で検知した振動変位を小容量時の振動の値（図５のＳ１および図６のＣ１）に、大容量時のＳ３およびＣ３、および中容量時のＳ２およびＣ２から補正を行う。そして、起動判定部１３１は、アンバランス量算出部３１およびアンバランス位置算出部３０で衣類のアンバランス状態を検出する。なお、小容量、大容量および中容量以外の容量に対する布量補正部１０４による補正は、実験値で求めた小容量、大容量および中容量時における振動変位の値から、例えば比例にあると仮定した補正式を用いて、補間して算出する。これにより、測定する実験値の数を削減して、作業性を向上できる。
【００８９】
つぎに、振動検知部１０で検知した左右振動変位の真値から、図５に示す左右振動変位とアンバランス量の相関図（具体的には、実験値より得られた小容量時を示すＳ１、中容量時を示すＳ２、大容量時を示すＳ３）を用いて、アンバランス量を算出する。例えば、衣類容量が中容量の場合、左右振動変位の真値が１．０ｍｍであれば、その時のアンバランス量は５００ｇである。また、左右振動変位が１０ｍｍであれば、アンバランス量は１０００ｇであると算出できる。なお、本実施の形態では、上記の方法によりアンバランス量を算出しているが、振動変位の値そのもので、アンバランス量を算出する方法でも可能である。
【００９０】
上述したように、布量が変化する場合、左右振動変位だけでアンバランス量を判定すると、アンバランス量を誤って判定する。その結果、誤った脱水起動の方法でドラム３を回転させる可能性がある。しかし、布量検知部１０２で検知した衣類容量により、布量補正部１０４で小容量時のＳ１、または大容量時のＳ３、または中容量時のＳ２に補正することでアンバランス量を正確に判定することができる。
【００９１】
なお、上述したように、アンバランス量は、洗濯物１８のアンバランス位置Ａが、図３Ｂから図３Ｅに示す前、後、中央、対角のアンバランス状態であっても、発生する場所に関係なく、アンバランス量が同じであれば、左右振動変位は同じ特性を示すことが実験結果から判明している。つまり、左右振動変位とアンバランス量の関係は、図５に示す関係が維持される。そのため、アンバランス量算出部３１で、左右振動変位の値からアンバランス量を容易に算出することができる。
【００９２】
つぎに、同じ１２０ｒｐｍでドラム３の回転を維持している際、振動検知部１０は、洗濯槽２２の前方上部の左右振動変位以外に、前後振動変位や上下振動変位を検出している。そして、検知した前後振動変位をアンバランス位置算出部３０に入力する。これにより、アンバランス位置算出部３０は、アンバランス量算出部３１で算出したアンバランス量に基づいて、図６に示すアンバランス量毎の前後振動変位とアンバランス位置との相関図からアンバランス位置を算出する。
【００９３】
例えば、アンバランス量算出部３１で、アンバランス量が５００ｇと算出された場合、まず、アンバランス位置算出部３０は、図６に示すＺ４（衣類容量が小容量の場合）を選択する。そして、前後振動変位が、Ｚ４のどこに位置するかにより、図６の横軸に示すアンバランス位置を特定する。その結果、アンバランス位置が算出される。具体的には、衣類容量が小容量において、アンバランス量が５００ｇで、前後振動変位が１．０ｍｍを検知した場合、図６からアンバランス位置が、前と中の間の「前中」に位置していると算出できる。
【００９４】
このとき、図６に示すように、例えばアンバランス量が５００ｇの場合、衣類容量が大容量の場合には大容量を示すＣ３、中容量時の場合には中容量特性を示すＣ２で、振動検知の特性が示される。そのため、布量検知部１０２の衣類容量から布量補正部１０４で、大容量を示すＣ３または中容量を示すＣ２から、小容量を示すＣ１に補正を行う。一方、衣類容量が小容量の場合は、補正を行わず、小容量特性を示すＣ１で判定を行う。さらに、一定値である小容量以下の場合も、同様に、補正を行わず、小容量特性のＣ１で判定を行う。つまり、一定値以下の場合、振動検知部１０で検知される左右振動変位や前後振動変位は、衣類の容量による影響がほとんどない。そこで、衣類容量が一定値（小容量）以下の場合は、小容量特性のＣ１で補正を行う。これにより、容量毎に求める実験値の回数を低減して、生産性や作業性を向上できる。
【００９５】
具体的に例示すれば、振動検知部１０で検知した前後振動変位が、大容量時に０．８ｍｍ、中容量時に０．９ｍｍの場合、布量検知部１０２の布量から布量補正部１０４で小容量時を示すＣ１へ補正を行う。つまり、布量検知部１０２で検出した衣類容量に基づいて、布量補正部１０４は小容量を示すＣ１に補正する。これにより、誤ったアンバランス位置の判定を防止する。その結果、脱水起動時において、誤判定することがない。
【００９６】
つまり、上述した方法により、制御部１３の起動判定部１３１のアンバランス量算出部３１とアンバランス位置算出部３０で、洗濯物１８のアンバランス状態を、ドラム３の共振回転数よりも低い回転数（本実施の形態では、約１２０ｒｐｍ）で特定することができる。
【００９７】
なお、図５および図６に示す左右振動変位および前後振動変位と、アンバランス量およびアンバランス位置との相関図は、約１２０ｒｐｍでドラム３を回転させたときの実験値から得られた図である。そのため、ドラム３の回転数を変更した場合には、相関関係は変化する。また、ドラム３の奥行きサイズ、径、ドラム式洗濯機本体１内の洗濯槽２２の支持方法などが変化した場合にも相関関係が変化する。その場合でも、共振回転数未満で実験的に相関関係を得ることにより、容易に対応することができる。
【００９８】
つぎに、検知したアンバランス状態に基づいて、共振回転数までのドラム３の立ち上げ方法を決定し、ボールバランサ８内のボール９を制御する。なお、制御の詳細は後述するが、例えばドラム３の奥行き方向のアンバランス位置が前側であれば、ボール９を対向状態にして起動、軸側であれば、ボール９を分散状態にして起動制御を行う。これにより、ボール９と、衣類とのアンバランス状態を最適な状態で、ドラム３の共振回転数を通過させることができる。その結果、ドラム３の共振回転数での振動を最小限に抑制して、起動することができる。
【００９９】
以下に、ドラム３の共振回転数での振動を最小限に抑制する動作について、詳細に説明する。
【０１００】
まず、ドラム３を、約１２０ｒｐｍで回転して、振動検知部１０でアンバランス量およびアンバランス位置を検出し、ドラム３内の洗濯物１８のアンバランス状態を把握する。
【０１０１】
つぎに、ドラム３の回転数を、振動検知部１０で振動変位を検知した回転数より低い回転数で運転する。つまり、ボールバランサ８内のボール９がドラム３の回転に対して底部に偏った状態で、ボール９が回転しない状態の回転数で動作させる。なお、上記回転数は、ボール９の重力が回転による遠心力よりも大きい条件でドラム３が回転している回転数である。そのため、ボールバランサ８の内部のオイルの粘性にも影響されるので、本実施の形態では、実験値で回転数を決めている。
【０１０２】
また、ドラム３が１２０ｒｐｍで回転している場合において、ボール９が回転するか、ボールバランサ８の底部で偏り状態になっているかは、図７Ｂに示すような一定の振動周期および一定の振幅変動の値が、振動検知部１０の左右振動変位で検出されることにより判断できる。一方、ボールバランサ８の底部にボール９が偏っている場合、左右振動変位が周期的に変動せず、一定の値で安定している状態から、容易に確認して判断できる。
【０１０３】
一方、ドラム３が約１２０ｒｐｍよりも低い回転数で、ボールバランサ８内のボール９が回転しない図３Ａに示す位置にある場合において、一定値以上（例えば、１００ｇ）のアンバランス量がある場合には、以下の方法により円周方向のアンバランス位置を検出する。つまり、まず、ドラム３を回転させる場合に、モータ１２を駆動している駆動部１３３から流れる電流値を電流検知部１０１で検知する。このとき、図４に示す電流値の変化により、ドラム３内の洗濯物１８のアンバランス位置Ａを把握することができる。
【０１０４】
しかし、アンバランス量が一定値以下の場合には、図４に示す電流値の変化が小さくなるので、電流値の変化ではなく、電流値の大きさにより、起動方法を判定してもよい。例えば、一定電流値以下の振幅変動の場合は、アンバランス量が少ないため、ボール９の分散状態による分散起動と判定して起動する。一方、一定電流値以上の振幅変動の場合は、アンバランス量が多いため、ボール９の対向状態による対向起動と判定して起動する。これにより、モータ１２を駆動する電流値の大きさから、起動方法を判定してもよい。
【０１０５】
また、図３Ａに示すように、アンバランス位置Ａがドラム式洗濯機本体１の正面から見て底部にある場合、モータ１２を駆動する電流値は、図４に示す電流ｂの位置にある。そして、アンバランス位置Ａが右回転で上部へ移動するにしたがって、電流値は電流ｂから電流ａ１に変化する。その後、電流値は回転とともにアンバランス位置Ａが底部に戻るとともに、電流値も減少する。つまり、上記の状態が繰り返して電流検知部１０１で検出されることにより、ドラム３の円周方向におけるアンバランス位置Ａを容易に把握できる。
【０１０６】
なお、布量検知部１０２の衣類容量の計測は、洗濯ステップの給水前の状態で行うことが、好ましい。これにより、脱水ステップ前の給水状態で布量を判定する場合において、洗濯ステップ時、布に含まれる水分量を考慮して布量を判定する必要がない。その結果、正確な布量が判定でき、脱水起動時の布量の補正を正確に行うことができる。また、これに限定されるものではなく、布に含まれる水分量を考慮して布量を判定することも可能である。
【０１０７】
さらに、布量補正部１０４の補正は、必ずアンバランス量算出部３１およびアンバランス位置算出部３０でアンバランス状態を算出する直前の状態で行うことが、好ましい。これにより、最も精度よく衣類容量を補正できる。つまり、洗濯ステップ終了後の、脱水起動の直前や、すすぎ時の脱水時の直前に衣類容量の補正を行う。これにより、精度よく、衣類容量の補正を行うことができる。
【０１０８】
そして、上述したように、ドラム３を約１２０ｒｐｍで回転させた状態において、振動検知部１０で検知した振動変位に基づいて、アンバランス量算出部３１とアンバランス位置算出部３０から、ドラム３の奥行き方向におけるアンバランス位置とアンバランス量が算出される。そのため、算出されたアンバランス位置とアンバランス量のそれぞれ条件毎に、ボールバランサ８のボール９の位置と、円周方向におけるアンバランス位置Ａの相対位置とを、どのように配置すればドラム３の共振回転数を通過させる際に、最も振動を抑制できるかについては、実験結果から得られている。具体的には、例えば、ドラム３の奥行き方向のアンバランス位置が前側、または軸側で一定値（例えば、３００ｇ）以上であれば、対向起動とし、軸側で一定値未満であれば、分散起動とする。
【０１０９】
そこで、制御部１３の起動判定部１３１は、上記条件で、ボール９が底部に偏っている状態のドラム３の回転数から、所定の時間内に共振回転数まで上昇させる。そして、起動判定部１３１は、さらに、例えば約５００ｒｐｍの回転数までドラム３を回転させるように、モータ１２を制御する。
【０１１０】
以上により、ドラム３の共振回転数における洗濯槽２２の振動変位を最小限に抑制して、ドラム３を起動できる。
【０１１１】
なお、本実施の形態では、ボールバランサ８をドラム３の洗濯物投入口側に配置し、脱水起動時にボール９と洗濯物１８のアンバランス位置Ａとの相対位置が図３Ｂまたは図３Ｄでは約１８０度、図３Ｃではボール９がボールバランサ８内にほぼ均等（均等を含む）に配置した例を基本の配置として説明したが、これに限られない。例えば、アンバランス量の大きさによって、ボール９の配置をさらに区分けして配置するように制御してもよい。これにより、複雑なアンバランス位置に応じて、よりボールバランサ８内でボール９を最適に配置できる。その結果、脱水起動時において、共振回転数を通過する際に発生するドラム３の振動を、さらに抑制できる。
【０１１２】
また、本実施の形態では、図３Ｅで示したように、前側と後側の対角位置にアンバランス位置Ａが発生する例で説明したが、これに限られない。例えば、アンバランス位置Ａの重心位置が前側または後側の位置に偏って配置されている場合、ボールバランサ８内のボール９の配置を、さらに区分けして配置して制御してもよい。これにより、アンバランス位置に応じて、ボールバランサ８内でボール９を最適に配置して、さらに振動を低減できる。
【０１１３】
以上のように、本実施の形態によれば、振動検知部１０の左右振動および前後振動の変位を、ドラム３を約１２０ｒｐｍの回転数で回転させた状態で正確に検知する。そして、検知した振動変位に基づいて、アンバランス量およびアンバランス位置を判定する。これにより、ドラム３の共振回転数における振動を最小化できるように、予めアンバランス状態の条件からボールバランサ８内のボール９の配置とアンバランス位置Ａの相対位置を把握することができる。その結果、ボール９をアンバランス位置Ａに対応して最適に配置して、ドラム３を駆動し、安定した脱水起動を行うことができる。
【０１１４】
また、本実施の形態によれば、ドラム３を約１２０ｒｐｍで回転した状態で、振動検知部１０で振動変位を検知する。そのため、一定以上の大きさで振動変位を検出できる。このとき、ボールバランサ８内のボール９は、オイルの粘性により、分散や偏りを繰り返すような移動を行わず、安定した配置で回転している。これにより、振動検知部１０で正確な左右振動変位および前後振動変位を検出して、正確にアンバランス量およびアンバランス位置の検出ができる。
【０１１５】
つまり、従来の流体バランサでは、水のみの粘性であるために、振動変位が一定以下の大きさの場合でも、頻繁に移動を繰り返す。そのため、流体バランサ内の水と、アンバランス位置Ａとの相対的な配置が常に変化し、正確な振動変位を検出することが困難であった。しかし、本実施の形態のボールバランサの構成により、正確に振動変位を検知し、安定して脱水ステップを起動できる。
【０１１６】
（実施の形態２）
以下に、本発明の実施の形態２におけるドラム式洗濯機の構成について、図１を参照しながら、図８を用いて説明する。
【０１１７】
図８は、本発明の実施の形態２におけるドラム式洗濯機の制御ブロック図である。
【０１１８】
図８に示すように、本実施の形態のドラム式洗濯機は、回転体制御装置を構成するボールバランサ８近傍の温度を検知する温度検知部２３と、温度補正部１０６を設けた点で、実施の形態１とは異なる。そして、実施の形態１で説明した振動検知部１０で検知した振動変位と、布量検知部１０２で検知した布量に、さらに温度検知部２３で検知した温度に基づいて、脱水起動時にボールバランサ８を制御する。
【０１１９】
つまり、図１および図８に示すように、本実施の形態のドラム式洗濯機は、少なくとも筐体を構成するドラム式洗濯機本体１と、ドラム式洗濯機本体１内に収容される洗濯槽２２、回転槽を構成するドラム３、モータ１２、回転体制御装置を構成するボールバランサ８、振動センサなどで構成される振動検知部１０、制御部１３、温度検知部２３などから構成されている。なお、基本的に、以下に示す温度検知部２３以外の構成や動作は、実施の形態１と同様であるので、詳細な説明は省略する。
【０１２０】
温度検知部２３は、例えばサーミスタなどの温度センサで構成され、ボールバランサ８近傍の洗濯槽２２の下部などに設けられている。そして、温度検知部２３は、ボールバランサ８近傍の温度を検知する。
【０１２１】
一般的に、ボールバランサ８内のオイルの粘性は、温度の変化により変わる。そのため、ボールバランサ８内のボール９の動きなどが、オイルの粘性の変化により影響される。そこで、オイルの温度をより正確に検知するために、温度検知部２３をボールバランサ８近傍の洗濯槽２２の下部に設けている。この配置は、洗濯槽２２内の洗濯水や洗濯物１８などで変化する温度の影響を緩和して、精度よくボールバランサ８近傍の温度を検知できる効果もある。なお、温度検知部２３は、洗濯槽２２の下部以外に、洗濯槽２２の正面部などに設けてもよく、ボールバランサ８近傍の温度を精度よく検出できる位置であれば、任意の位置に配置してもよい。
【０１２２】
また、図２に示すように、本実施の形態のドラム式洗濯機の制御部１３は、実施の形態１と同様に、起動判定部１３１と回転制御部１３２などを有している。起動判定部１３１は、電流検知部１０１と、布量検知部１０２と、回転位置検知部１０３と、布量補正部１０４と、温度補正部１０６と、アンバランス位置算出部３０と、アンバランス量算出部３１などから構成されている。電流検知部１０１は、モータ１２に流れる電流を検出する。回転位置検知部１０３は、電流検知部１０１で検知する電流の変化から洗濯物１８の偏りによるドラム３内の円周方向のアンバランス位置を検出する。アンバランス量算出部３１は、振動検知部１０の左右振動変位からドラム３内の洗濯物１８のアンバランス量を検知する。アンバランス位置算出部３０は、アンバランス量算出部３１で算出したアンバランス量に基づいて、振動検知部１０の前後振動変位からドラム３の奥行き方向における洗濯物１８のアンバランス位置を算出する。布量検知部１０２は、ドラム３内の洗濯物１８の容量（衣類容量）を検知する。布量補正部１０４は、布量検知部１０２で検知した衣類容量から振動検知部１０で検知した振動変位の値を補正する。温度補正部１０６は、温度検知部２３で検知した温度の値から振動検知部１０で検知した振動変位の値を温度補正する補正値を算出する。
【０１２３】
また、実施の形態１において、図３Ａから図４を用いて説明したように、脱水起動時には、洗濯物１８のアンバランス状態（アンバランス量およびアンバランス位置）が衣類容量に応じて変化する。そこで、実施の形態１では、衣類容量を考慮して、アンバランス状態を、振動検知部１０で検出した左右振動変位や前後振動変位から求めて、ボールバランサ８のボール９をアンバランス状態に対応して制御し、振動を抑制していた。
【０１２４】
しかし、実施の形態１でも述べたように、ボールバランサ８内のオイルの粘性は、温度特性を有する。つまり、オイルの粘性抵抗は、温度により大きく変化し、高温では小さく、低温では大きくなる。このような温度変化は、季節の変化による外気温の変化や、洗いステップやすすぎステップの洗濯水にお湯を使用することなどにより起こり得る。これにより、ボールバランサ８内のボール９の動作も大きく変化する。
【０１２５】
具体的には、ボールバランサ８内のボール９の動作は、高温時において、オイルの粘性抵抗の低下により、常温時より速く移動する。一方、低温時においては、オイルの粘性抵抗の増加により、常温時より遅く移動する。そのため、図９および図１０を用いて後述するように、洗濯槽２２に設けている振動検知部１０で検知する振動変位は、高温時において、常温時より大きくなる。一方、低温時においては、常温時より小さくなる。
【０１２６】
そこで、本実施の形態では、衣類容量の変化に加えて、さらに温度変化を考慮して、アンバランス位置およびアンバランス量などの多様なアンバランス状態を、振動検知部１０で検知する。そして、検知した振動変位に基づいて、ボールバランサ８を制御し、脱水起動時に発生する振動を抑制している。
【０１２７】
以下に、本実施の形態のドラム式洗濯機において、温度変化を考慮して、アンバランス状態を検知する方法について、図９および図１０を用いて、説明する。
【０１２８】
図９は、同ドラム式洗濯機のアンバランス量と振動検知部で検知した左右振動変位との関係を、温度をパラメータとして示す相関図である。詳細には、図中のＳＳ１は、温度が常温（例えば、２５°Ｃ程度）の場合における、アンバランス量と左右振動変位との関係を示している。同様に、ＳＳ２は温度が低温（例えば、５°Ｃ程度）の場合、ＳＳ３は温度が高温（例えば、６０°Ｃ程度）の場合の関係を示している。さらに、図中のＳＳ１１は、アンバランス量が５００ｇにおける、温度が常温の場合のＳＳ１上の左右振動変位を示している。同様に、ＳＳ２１は温度が低温の場合、ＳＳ３１は温度が高温の場合の、ＳＳ２およびＳＳ３上の左右振動変位を示している。
【０１２９】
また、図１０は、同ドラム式洗濯機のアンバランス位置と振動検知部で検知した前後振動変位との関係を、アンバランス量をパラメータとして示す相関図である。詳細には、図中のＺＺ１からＺＺ７は、温度が常温の場合の１００ｇから２０００ｇに相当する各アンバランス量を示している。そして、図中のＣＣ１は、温度が常温の場合のアンバランス量が５００ｇにおける、アンバランス位置と前後振動変位との関係を示している。同様に、ＣＣ２は温度が低温の場合、ＣＣ３は温度が高温の場合の、アンバランス量が５００ｇにおける、アンバランス量と前後振動変位との関係を示している。なお、温度が低温と高温で、アンバランス量が５００ｇの場合以外の相関図は記載していない。
【０１３０】
さらに、図中のＣＣ１１は、アンバランス量が５００ｇにおける、温度が常温でアンバランス位置が「前中」の場合の、ＣＣ１上の前後振動変位を示している。同様に、ＣＣ２１は温度が低温の場合、ＣＣ３１は温度が高温の場合の、ＣＣ２およびＣＣ３上のアンバランス位置が「前中」における前後振動変位を示している。
【０１３１】
このとき、図９は、実施の形態１で図５を用いて説明したように、振動検知部１０で検知した左右振動変位とアンバランス量との関係が、以下の条件でドラム３を駆動した場合、アンバランス位置Ａが図３Ｂから図３Ｅに示す位置関係に関わらず、相関関係にあることを示している。条件は、ドラム３をボールバランサ８のボール９が底部に固定されずに回転する回転数を、例えば９０ｒｐｍから１５０ｒｐｍの範囲で維持した状態で、左右振動変位とアンバランス量を検知した場合である。この回転数は、ドラム３の共振回転数より低く、アンバランス状態の検知に都合が良い。
【０１３２】
なお、本実施の形態では、ドラム３の回転数を１２０ｒｐｍで維持した状態で、温度変化毎に左右振動変位とアンバランス量の関係を、実施の形態１で説明した方法により実験的に測定した結果を、図９に示している。同様に、回転数を１２０ｒｐｍで維持した状態で、温度が常温においてアンバランス量毎に前後振動変位とアンバランス位置の関係を実験的に測定した結果を、図１０に示している。
【０１３３】
ここで、図９と図１０を得る具体的な測定方法について説明する。まず、例えばドラム３の内壁面に、大容量、中容量および小容量のそれぞれの設定に応じて、相当する重りを均等に配置する。つぎに、アンバランス量に相当する重り（例えば、５００ｇなど）を、所定のアンバランス位置に配置した状態で、ボールバランサ８を、常温、低温および高温などの所定の温度に維持して、ドラム３を回転駆動する。そして、上記状態でドラム３を回転させたときに発生する左右振動変位や前後振動変位を検知し、図９や図１０にプロットしている。
【０１３４】
以下に、図９において、左右振動変位とアンバランス量との関係が、アンバランス位置Ａが図３Ｂから図３Ｅに示す奥行き方向の位置関係に関わらず、相関関係にある理由について説明する。
【０１３５】
まず、ドラム３の回転軸が洗濯槽２２の背面側を軸に支持固定され、振動検知部１０を軸から離れた距離にある前側の上部に設けている。そのため、ドラム３の奥行き方向のアンバランス位置に前後振動変位および上下振動変位は影響されるが、左右振動変位への影響が小さい。つまり、アンバランス位置の奥行き方向の位置に、左右振動変位は、影響されない。これにより、アンバランス量と左右振動変位との関係を、精度よく得ることができる。
【０１３６】
一方、左右振動変位は、実施の形態１で説明した衣類容量とともに、ボールバランサ８内部のオイルの粘性の温度変化により影響を受ける、そこで、図９には、温度検知部２３で検知したボールバランサ８近傍の温度が、常温時の左右振動変位とアンバランス量との関係をＳＳ１で示し、同様に、高温時の関係をＳＳ３で、低温時の関係をＳＳ２で示している。
【０１３７】
具体的には、例えば温度が常温時において、振動検知部１０で検知した左右振動変位が１．０ｍｍの場合、ＳＳ１上のＳＳ１１から、アンバランス量が５００ｇであることを示している。これに対して、アンバランス量が５００ｇで同じであれば、温度が低温時においては、ＳＳ２上のＳＳ２１から左右振動変位が０．８ｍｍと小さくなる。このとき、温度を常温と判定すると、ＳＳ１からアンバランス量が４００ｇと示される。また、温度が高温時においては、ＳＳ３に示すように左右振動変位が大きくなり、アンバランス量が５００ｇの場合、２．０ｍｍを示す。このとき、温度を常温と判定すると、ＳＳ１からアンバランス量が６００ｇと示される。つまり、アンバランス量が同じ場合でも、温度変化により、左右振動変位が変化する。その結果、左右振動変位だけでアンバランス量を判断すると、図８に示す制御部１３の起動判定部１３１は、アンバランス量を誤判定し、起動方法を誤る可能性がある。
【０１３８】
また、図１０に示す前後振動変位とアンバランス位置との関係から、図中にＺＺ１からＺＺ７などで示すアンバランス量毎の特性を用いて、ドラム３の奥行き方向におけるアンバランス位置を算出することができる。なお、図１０に示す、洗濯槽２２の前後振動変位と、アンバランス量毎のアンバランス位置を示す関係は、実験的に得られたデータである。
【０１３９】
つまり、振動検知部１０の前後変位は、以下の条件でドラム３を駆動した場合、アンバランス量毎にドラム３の奥行き方向のアンバランス位置により前後振動変位として検出できる。条件は、ドラム３をボールバランサ８のボール９が底部に固定されずに回転する回転数、例えば９０ｒｐｍから１５０ｒｐｍの範囲を維持した状態で、ドラム３を回転させる。なお、本実施の形態では、回転数を１２０ｒｐｍで維持した状態で、前後振動変位とアンバランス位置との関係を実験的に測定しており、図１０では、上述したように、アンバランス量が５００ｇの場合を除いて、温度が常温の場合のみを示している。
【０１４０】
ここで、前後振動変位を検出できる理由は、まず、ドラム３の回転軸を洗濯槽２２の後方部を軸として支持され、軸から離れた前方上部の位置に振動検知部１０を設けている。これにより、アンバランス量を示す左右振動は明確に現れる。そして、アンバランス位置の違いを示す前後振動は、アンバランス位置がドラム３内の軸側にある場合は小さく、前側にある場合は大きくなる。そのため、振動検知部１０で検知される前後振動変位に、ドラム３の奥行き方向のアンバランス位置を示す特性が表れる。つまり、ドラム３の奥行き方向のアンバランス位置を、実験結果から得られた図１０を用いて判定できる。
【０１４１】
具体的には、図１０は、例えば衣類のアンバランス量が５００ｇの場合、ボールバランサ８近傍の温度が常温時には、前後振動変位はＣＣ１を示し、高温時にはＣＣ３、低温時にはＣＣ２を示す。
【０１４２】
なお、温度特性が、それぞれの衣類のアンバランス量に応じて、同じ特性であることは、実験値から確認している。
【０１４３】
つまり、図１０に示すように、例えばアンバランス量は５００ｇで、温度が常温時において、振動検知部１０が検知した前後振動変位が１．０ｍｍの場合、ＣＣ１上のＣＣ１１から前後のアンバランス位置が「前中」と判定される。そして、温度が低温時において、前後振動変位が０．８ｍｍを示す場合、ＣＣ２上のＣＣ２１から前後のアンバランス位置が「前中」と判定される。また、温度が高温時において、前後振動が１．１ｍｍを示す場合、ＣＣ３上のＣＣ３１から前後のアンバランス位置が「前中」と判定される。
【０１４４】
このように、図９と図１０のような関係を実験により得られた値から補正式（近似式）として把握しておく。これにより、温度検知部２３で検知した温度と、振動検知部１０で検知される左右振動変位と前後振動変位とから、アンバランス量とアンバランス位置を正確に算出して、適切な起動制御を行うことができる。
【０１４５】
また、図９および図１０を得る場合において、例えば温度が常温の場合のみ実験を行って相関図を把握する。そして、低温や高温については、常温の相関図を基準にして、温度による補正を温度補正部１０６で行うようにしてもよい。もちろん、基準とする温度は、特に限定されるものではない。
【０１４６】
つまり、温度変化により前後振動変位が変化する。そのため、同じアンバランス位置でも、温度変化により前後振動変位が異なるので、温度補正を行わない場合、前後のアンバランス位置を誤判定し、起動方法を誤る可能性がある。これにより、例えばアンバランス位置が「前中」位置より前方方向に位置する場合、ボールバランサ８を対向起動とするが、誤判定により、低温時において、誤ってボールバランサ８を分散起動を行うように判定する可能性がある。
【０１４７】
また、実施の形態１で図７Ｂを用いて説明したように、本実施の形態のドラム式洗濯機は、ボールバランサ８を搭載している。ボールバランサ８内のボール９は、ドラム３を回転数１２０ｒｐｍ（例えば、９０から１５０ｒｐｍの範囲内）に維持した状態で回転した場合、所定の粘性を持ったオイルにより、ほぼ一定の位置に偏る状態となる。これにより、ボールバランサ８内のボール９は、ドラム３の回転数より、ほぼ一定回転数遅れた回転数で回転する。そのため、図７Ｂの波形Ｈ２に示すように、左右振動変位は、一定の振幅範囲でドラム３の回転周期に同期して変動する。
【０１４８】
従って、ボールバランサ８を用いた場合、ドラム３の回転数とボール９の回転数が一定の回転数遅れた状態で回転する。そのため、洗濯槽２２の左右振動変位は、洗濯物１８のアンバランス位置Ａとボール９の偏りとが打ち消しあう状態や重なり合う状態を、一定周期で繰り返す。これにより、洗濯槽２２の左右振動変位は、一定の変動周期と一定の振幅変動で検出される。その結果、ボールバランサ８を用いた場合、振動検知部１０は、一定の振動周期と一定の振幅変動の範囲から、左右振動変位の値を容易に算出できる。
【０１４９】
このとき、オイルの粘性が温度特性により変化する場合、左右振動変位の振幅値は高温時に大きく、低温時に小さくなる。しかし、左右振動変位の繰り返し動作は、上記と同様の動作を示す。つまり、温度変化があった場合でも、正確に左右振動変位を検出することが可能となる。ここで、左右振動変位は、実施の形態１と同様に、例えば最大変位と最小変位の差分を平均することにより算出される。このとき、ボールバランサ８内のボール９は、アンバランスの円周方向位置と重なる位置に移動すると振動変位をより大きくし、アンバランスの円周方向位置と対向する位置に移動すると振動変位をより小さくするように作用する。従って、最大変位と最小変位との差分に対するボール９の影響は、相殺されて問題ない。なお、１２０ｒｐｍで回転するドラム３の回転期間で検出する左右振動変位の平均を算出して、左右振動変位の真値を算出してもよい。これにより、左右振動変位の検出精度を向上できる。
【０１５０】
以上のように、本実施の形態のドラム式洗濯機が構成されている。
【０１５１】
なお、本実施の形態におけるドラム式洗濯機の動作および作用は、実施の形態１と同様であるので、説明を省略する。
【０１５２】
つぎに、本実施の形態におけるドラム３が共振回転数を通過する際に発生する振動を抑制する、脱水時の起動動作について、説明する。
【０１５３】
このとき、実施の形態１で説明したように、洗濯物１８の偏りに対して、ボールバランサ８内でボール９を最適な位置に配置して、ドラム３の回転が、共振回転数を通過するように、以下で述べる起動方法を実現している。
【０１５４】
つまり、脱水ステップでは、制御部１３は、回転制御部１３２の指令により、駆動部１３３を介してモータ１２に駆動電圧を印加する。これにより、モータ１２を徐々に低速回転から高速回転に動作させ、ドラム３の回転速度を徐々に上昇させる。
【０１５５】
つぎに、制御部１３の回転制御部１３２は、ドラム３の回転数が約１２０ｒｐｍとなるように、モータ１２を制御し、その状態を維持する。そして、ドラム３が約１２０ｒｐｍで回転する状態で、ドラム３の前方上部の洗濯槽２２に設けた振動検知部１０で、洗濯槽２２の左右振動変位および前後振動変位を検出する。このとき、ドラム３の回転数は、共振回転数未満であるため、安定した振動変位で検出できる。また、ボールバランサ８の内部のボール９は、オイルの粘性により一ヶ所に偏った状態で、ドラム３の回転数と非同期で、かつ一定回転数遅れた状態で回転する。これにより、図７Ｂの波形Ｈ２に示すような、一定の振動周期と一定の振幅変動で左右振動変位が検出される。その結果、制御部１３の起動判定部１３１は、洗濯槽２２の左右振動変位の値を平均することにより、真値を容易に算出できる。
【０１５６】
しかし、上記で説明したように、ボールバランサ８内のオイルの粘性は、周囲温度の影響により変化する。これにより、ボールバランサ８内部のボール９の移動速度などの動作が変化し、振動検知部１０で検出する振動変位が影響を受ける。具体的には、図９に示すように、温度が高温時には振動変位が大きく、ＳＳ３の特性を示す。また、同様に、常温時には振動変位は、ＳＳ１の特性を示し、低温時には振動変位はＳＳ２の特性を示すように影響を受ける。
【０１５７】
そこで、本実施の形態では、まず、洗濯槽２２に設けた温度検知部２３により、ボールバランサ８近傍の温度を検知し、検知した温度に基づいて、温度補正部１０６で、例えば振動変位を補正する。具体的には、図９と図１０のような関係を実験により得られた値から補正式（近似式）として把握することにより、温度補正部１０６は、振動検知部１０で検知した振動変位を常温時の振動の値（図９では、ＳＳ１）に、低温時のＳＳ２および高温時のＳＳ３から補正を行う。そして、起動判定部１３１は、アンバランス量算出部３１およびアンバランス位置算出部３０で衣類のアンバランス状態を検出する。なお、常温、低温および高温以外の温度に対する温度補正部１０６による補正は、実験値に求めた常温、低温および高温時における振動変位の値から、例えば比例にあると想定した補正式を用いて、補間して算出する。これにより、測定する実験値の数を削減して。作業性を向上できる。
【０１５８】
つぎに、振動検知部１０で検知した左右振動変位の真値から、図９に示す左右振動変位とアンバランス量の相関図（具体的には、実験値より得られた常温時を示すＳＳ１、低温時を示すＳＳ２、高温時を示すＳＳ３）を用いて、アンバランス量を算出する。例えば、温度が常温の場合、左右振動変位の真値が１．０ｍｍであれば、その時のアンバランス量は５００ｇである。また、左右振動変位が１０ｍｍであれば、アンバランス量は１０００ｇであると算出できる。なお、本実施の形態では、上記の方法により、アンバランス量を算出しているが、振動変位の値そのもので、アンバランス量を算出する方法でも可能である。
【０１５９】
上述したように、温度が変化する場合、左右振動変位だけでアンバランス量を判定すると、アンバランス量を誤って判定する。その結果、誤った脱水起動の方法でドラム３を回転させる可能性がある。しかし、温度検知部２３で検知した温度の値により、温度補正部１０６で常温時のＳＳ１、または、高温時のＳＳ３、または、低温時のＳＳ２に補正することでアンバランス量を正確に判定することができる。
【０１６０】
なお、実施の形態１で説明したように、アンバランス量は、洗濯物１８のアンバランス位置Ａが、図３Ｂから図３Ｅに示す前、後、中央、対角のアンバランス状態であっても、発生する場所に関係なく、アンバランス量が同じであれば、左右振動変位は同じ特性を示すことが実験結果から判明している。つまり、左右振動変位とアンバランス量の関係は、図９に示すような関係が維持される。そのため、アンバランス量算出部３１で、左右振動変位の値からアンバランス量を、容易に算出することができる。
【０１６１】
つぎに、同じ１２０ｒｐｍでドラム３の回転を維持している際、振動検知部１０は、洗濯槽２２の前方上部の左右振動変位以外に、前後振動変位や上下振動変位を検出している。そして、検知した前後振動変位をアンバランス位置算出部３０に入力する。これにより、アンバランス位置算出部３０は、アンバランス量算出部３１で算出したアンバランス量に基づいて、図１０に示すアンバランス量毎の前後振動変位とアンバランス位置との相関図からアンバランス位置を算出する。
【０１６２】
例えば、アンバランス量算出部３１で、アンバランス量が５００ｇと算出された場合、まず、アンバランス位置算出部３０は、図１０に示すＺＺ４（常温時、例えば２５℃の場合）を選択する。そして、前後振動変位が、ＺＺ４のどこに位置するかにより、図１０の横軸に示すアンバランス位置を特定する。その結果、アンバランス位置が算出される。具体的には、常温において、アンバランス量が５００ｇで、前後振動変位が１．０ｍｍを検知した場合、図１０からアンバランス位置が、前と中の間の「前中」に位置していると算出できる。
【０１６３】
このとき、図１０に示すように、例えばアンバランス量が５００ｇの場合、高温時の場合には高温特性を示すＣＣ３、低温時の場合には低温特性を示すＣＣ２で、振動検知の特性が示される。そのため、温度検知部２３で検知した温度の値から温度補正部１０６で、高温特性を示すＣＣ３、または低温時の場合には低温特性を示すＣＣ２から、常温時特性を示すＣＣ１に補正を行う。一方、検知した温度が常温時の場合は、補正を行わず、常温特性を示すＣＣ１で判定を行う。
【０１６４】
例えば、振動検知部１０で検知した前後振動変位が、低温時に０．８ｍｍ、高温時に１．１ｍｍを検出した場合、温度検知部２３で検知した温度の値から温度補正部１０６で常温特性を示すＣＣ１へ補正を行う。つまり、温度変化があった場合でも、常温特性を示すＣＣ１に補正する。これにより、誤ったアンバランス位置の判定を防止する。その結果、脱水起動時において、誤判定することがない。
【０１６５】
つまり、上述した方法により、制御部１３の起動判定部１３１のアンバランス量算出部３１とアンバランス位置算出部３０で、洗濯物１８のアンバランス状態を、ドラム３の共振回転数よりも低い回転数（本実施の形態では、約１２０ｒｐｍ）で特定することができる。
【０１６６】
なお、図９および図１０に示す左右振動変位および前後振動変位と、アンバランス量およびアンバランス位置との相関図は、約１２０ｒｐｍでドラム３を回転させたときの実験値から得られた図である。そのため、ドラム３の回転数を変更した場合には、相関関係が変化する。また、ドラム３の奥行きサイズ、径、ドラム式洗濯機本体１内の洗濯槽２２の支持方法などが変化した場合にも相関関係が変化する。その場合でも、共振回転数未満で実験的に相関関係を得ることにより、容易に対応することができる。
【０１６７】
つぎに、検知したアンバランス状態に基づいて、ボールバランサ８内のボール９を制御する。具体的には、例えば、ドラム３の奥行き方向のアンバランス位置が前側、または軸側で一定値（例えば、３００ｇ）以上であれば、対向起動とし、軸側で一定値未満であれば、分散起動とする。これにより、ボール９と、衣類とのアンバランス状態を最適な状態で、ドラム３の共振回転数を通過させることができる。その結果、ドラム３の共振回転数での振動を最小限に抑制して、起動することができる。
【０１６８】
なお、本実施の形態では、ドラム３の回転数を１２０ｒｐｍに維持した場合に、温度補正部１０６で温度補正をする方法を例に説明したが、これに限られない。例えば、オイルの粘性が変化した場合に、ドラム３の回転数を変更してもよい。つまり、温度検知部２３で検知した温度の値により、振動検知部１０で検知する振動変位が常温時と同じ値になるように、オイルの粘性の温度変化に応じて、ドラム３の回転数を変更してもよい。
【０１６９】
また、本実施の形態では、温度検知部２３の温度の計測と、温度補正部１０６の補正は、必ずアンバランス量算出部３１およびアンバランス位置算出部３０でアンバランス状態を算出する直前の状態で行うことが、好ましい。これにより、最も精度よく温度補正ができる。つまり、洗濯ステップ終了後の、脱水起動の直前や、すすぎ時の脱水時の直前に温度補正を行う。これにより、精度よく、温度補正を行うことができる。
【０１７０】
また、本実施の形態では、温度検知部２３をボールバランサ８近傍の洗濯槽２２の下部に設けた例で説明したが、これに限られない。例えば、ドラム式洗濯機において、温度検知が必要な位置に設けられた温度センサを、温度検知部２３として兼用してもよい。このとき、ボールバランサ８の温度を正確に測定できない場合がある。その場合、温度補正部に、検知された温度センサの温度から、ボールバランサの温度を推測する温度補間部を設けることが好ましい。これにより、温度検知部２３の設置位置に関わらず、ボールバランサ８の温度を推測して、アンバランス状態を判定できる。
【０１７１】
以上で説明したように、本発明のドラム式洗濯機は、筐体と、筐体の内部に支持された洗濯槽と、洗濯槽内に回転可能に収納された回転槽と、回転槽を回転駆動する駆動部と、回転槽に設けた回転体制御装置と、洗濯槽に設けた振動検知部と、回転槽内の布量を算出する布量検知部と、振動検知部からの出力に基づいて駆動部を制御する制御部とを備える。制御部は、振動検知部で検知した振動変位と布量検知部で検知した布量とに基づき、脱水起動時に回転体制御装置を制御してもよい。
【０１７２】
これにより、回転槽を構成するドラム内の洗濯物のアンバランス状態（アンバランス位置およびアンバランス量など）が同じ状態で、かつ回転槽内の布量が異なる場合でも、布量検知部で布量、振動検知部で振動を計測して、アンバランス状態を共振回転数前に正確に把握できる。そして、衣類のアンバランス状態（アンバランス量とアンバランス位置）に基づいて回転体制御装置を制御することにより、洗濯槽の振動を抑制できる。その結果、起動の再立ち上げなどを繰り返す動作の発生を効果的に防止でき、脱水起動時の安定した動作ができる。
【０１７３】
また、本発明のドラム式洗濯機は、回転体制御装置が、回転槽の円周に合わせて設けられ、内部に複数のボールを有するボールバランサで構成される。そして、制御部は、振動検知部で検知した振動変位から回転槽のアンバランス量と円周方向のアンバランス位置とを含むアンバランス状態を把握し、アンバランス状態に基づいて、ボールがアンバランス位置に対向する位置に偏る対向起動、または、ボールがボールバランサ内に分散する分散起動となるように制御してもよい。
【０１７４】
これにより、ボールバランサ内の最適な位置にボールを配置して、ドラムが共振回転数を通過するときの振動を抑制することができる。
【０１７５】
また、本発明のドラム式洗濯機は、制御部が、回転槽を共振回転数未満の所定回転数に維持した状態で、振動検知部で検知した振動変位から共振回転数時に回転槽の振動を抑制するように回転体制御装置を制御する起動判定部と、布量検知部で検知した布量から振動検知部で検知した振動変位の値を補正換算する布量補正部とを備えてもよい。
【０１７６】
この構成によれば、制御部の起動判定部は、まず、回転槽の回転数を共振回転数未満の所定回転数に維持する。布量補正部は、洗濯ステップ前に布量検知部で検知した洗濯物の布量から、アンバランス状態を検出する振動検知部で検知した任意の１軸出力方向（左右方向）の振動変位の値の補正を行う。そして、布量に応じて算出したアンバランス量に基づいて、振動検知部で検知した別の任意の１軸出力方向（前後方向）の振動変位の値を、さらに布量補正部で補正を行う。これにより、布量に基づいて、アンバランス位置を正確に算出して、回転槽内の洗濯物の偏り状況を正確に把握することができる。そして、偏り状況に応じて、対向（ボールをひとつの位置に偏らせる）状態、または分散（ボールを回転体制御装置内で均等に配置する）状態とするように、回転体制御装置（ボールバランサ）のボールの位置を制御する。その結果、ドラムの回転が共振回転数を通過する際の、洗濯槽の振動を、効果的に抑制することができる。
【０１７７】
また、本発明のドラム式洗濯機は、布量補正部が、回転槽内の布量が一定値以下の場合に、布量の補正を行わないように制御してもよい。これにより、一定値に相当する布量が小容量以下では、小容量の振動変位を利用して、アンバランス量やアンバランス位置を判定できる。その結果、振動変位を、予め実験的に求める必要がないため、生産性や作業性が向上する。
【０１７８】
また、本発明のドラム式洗濯機は、布量補正部が、洗濯ステップの給水前の状態に行った布量で補正してもよい。これにより、脱水ステップ前の給水状態で布量を判定する場合において、洗濯ステップ時、布に含まれる水分量を考慮して布量を判定する必要がない。その結果、正確な布量が判定でき、脱水起動時の布量の補正を正確に行うことができる。
【０１７９】
また、本発明のドラム式洗濯機は、回転体制御装置近傍の温度計測を行う温度検知部を、さらに備え、制御部は、振動検知部で検知した振動変位と布量検知部で検知した布量と温度検知部で検知した温度とに基づいて、脱水起動時に回転体制御装置を制御する構成としてもよい。
【０１８０】
この構成によれば、回転槽内の衣類のアンバランス状態を、振動検知部で検知した振動変位の値から判断する際に、布量検知部で検知した布量と、洗濯槽近傍で計測した温度により、正確に把握する。そして、把握したアンバランス状態に応じて、回転体制御装置を制御する。これにより、脱水時において、適正な起動方法を選定して、回転槽の振動の発生を効果的に抑制できる。
【０１８１】
また、本発明のドラム式洗濯機は、制御部が、回転槽を共振回転数未満の所定回転数に維持した状態で、振動検知部で検知した振動変位から共振回転数時に回転槽の振動を抑制するように回転体制御装置を制御する起動判定部と、温度検知部で検知した温度から振動検知部で検知した振動変位の値を補正換算する温度補正部とを備えてもよい。
【０１８２】
この構成によれば、制御部の起動判定部は、まず、回転槽の回転数を共振回転数未満の所定回転数に維持する。温度補正部は、温度検知部で計測した回転体制御装置近傍の温度から、アンバランス状態を検出する振動検知部で検知した任意の１軸出力方向（左右方向）の振動変位の値に補正を行う。そして、温度に応じて算出したアンバランス量に基づいて、別の任意の１軸出力方向（前後方向）の振動変位の値を、さらに温度補正部で補正を行う。これにより、検知された温度に基づいて、アンバランス位置を正確に算出して、回転槽内の洗濯物の偏り状況を正確に把握することができる。そして、偏りの状況に応じて、対向（ボールを１つの位置に偏らせる）状態、または分散（ボールを回転体制御装置内で分散させて配置する）状態とするように、回転体制御装置（ボールバランサ）のボール位置を制御する。その結果、ドラムの回転が共振回転数を通過する際の、洗濯槽の振動を、さらに効果的に抑制することができる。
【０１８３】
また、本発明のドラム式洗濯機は、温度補正部が、温度検知部で検知した温度値から、回転体制御部装置の温度を推測する温度補間部をさらに備えてもよい。これにより、温度検知部を任意の位置に設置することができる。また、回転体制御装置の温度を直接検知する温度検知部を、特に設ける必要がない。その結果、部品点数を削減して、構成を簡略化できる。
【０１８４】
また、本発明のドラム式洗濯機は、温度補正部が、脱水ステップ前に温度計測を行い、測定された温度計測値から補正を行ってもよい。これにより、脱水ステップ前の状態で、複数回、洗濯機を動作させている場合でも、またはじめて動作させた場合でも、脱水ステップ前の温度上昇を考慮して、洗濯槽近傍の温度を計測することができる。その結果、脱水ステップの状況に応じて、正確な温度補正を行うことができる。
【０１８５】
また、本発明のドラム式洗濯機は、振動検知部を、洗濯槽の前方上部に設けてもよい。これにより、振動検知部を回転槽の前方でアンバランス状態が発生する際の振動が最も大きい位置に設けることができる。その結果、振動変位の値をより検出しやすくなるため、検知精度を向上できる。
【産業上の利用可能性】
【０１８６】
本発明は、脱水起動時において、ドラムが共振回転数を通過する際の振動を大幅に抑制して、安定な駆動が要望される家庭用および業務用のドラム式洗濯機やドラム式洗濯乾燥機に有用である。
【符号の説明】
【０１８７】
１，１０Ａ    ドラム式洗濯機本体（筐体）
３，３０Ａ    ドラム（回転槽）
４    ドラムプーリ
５    モータプーリ
６    ベルト
７    バッフル
８    ボールバランサ（回転体制御装置）
９    ボール
１０，５０Ａ    振動検知部
１２，４０Ａ    モータ
１３    制御部
１５    ロータ位置検出部
１８    洗濯物
１９，２２０    ダンパ
２０Ａ，２２    洗濯槽
２３    温度検知部（温度センサ）
３０    アンバランス位置算出部
３１    アンバランス量算出部
６０Ａ    制御装置
７０Ａ    扉
１０１    電流検知部
１０２    布量検知部
１０３    回転位置検知部
１０４    布量補正部
１０６    温度補正部
１３１    起動判定部
１３２    回転制御部
１３３    駆動部
１８０    吊バネ
５０１    加速度センサ
５０２    フィルタ回路
５０３    マイクロコンピュータ
５０４    モータ制御回路
５０５    表示パネル回路
５０７    電源回路
５０８    アンバランス量検知部
５０９    アンバランス位置検知部
Ａ    アンバランス位置
【手続補正２】
【補正対象書類名】特許請求の範囲
【補正対象項目名】全文
【補正方法】変更
【補正の内容】
【特許請求の範囲】
【請求項１】
筐体と、
前記筐体の内部に支持された洗濯槽と、
前記洗濯槽内に回転可能に収納された回転槽と、
前記回転槽を回転駆動する駆動部と、
前記回転槽に設けた回転体制御装置と、
前記洗濯槽に設けた振動検知部と、
前記回転槽内の布量を算出する布量検知部と、
前記振動検知部からの出力に基づいて前記駆動部を制御する制御部と、を備え、
前記制御部は、前記振動検知部で検知した振動変位と前記布量検知部で検知した布量とに基づいて、脱水起動時に前記回転体制御装置を制御するドラム式洗濯機。
【請求項２】
前記回転体制御装置は、前記回転槽の円周に合わせて設けられ、内部に複数のボールを有するボールバランサで構成され、
前記制御部は、前記振動検知部で検知した振動変位から前記回転槽のアンバランス量と円周方向のアンバランス位置とを含むアンバランス状態を把握し、前記アンバランス状態に基づいて、前記ボールが前記アンバランス位置に対向する位置に偏る対向起動、または、前記ボールが前記ボールバランサ内に分散する分散起動となるように制御する請求項１に記載のドラム式洗濯機。
【請求項３】
前記制御部は、
前記回転槽を共振回転数未満の所定回転数に維持した状態で、前記振動検知部で検知した振動変位から前記共振回転数時に前記回転槽の振動を抑制するように前記回転体制御装置を制御する起動判定部と、
前記布量検知部で検知した布量から前記振動検知部で検知した振動変位の値を補正換算する布量補正部と、を備える請求項１に記載のドラム式洗濯機。
【請求項４】
前記布量補正部は、前記回転槽内の布量が一定値以下の場合に、布量の補正を行わない請求項３に記載のドラム式洗濯機。
【請求項５】
前記布量補正部は、洗濯ステップの給水前の状態に行った布量で補正する請求項３または請求項４のいずれか１項に記載のドラム式洗濯機。
【請求項６】
前記回転体制御装置近傍の温度計測を行う温度検知部を、さらに備え、
前記制御部は、前記振動検知部で検知した振動変位と前記布量検知部で検知した布量と前記温度検知部で検知した温度とに基づいて、脱水起動時に前記回転体制御装置を制御する請求項１に記載のドラム式洗濯機。
【請求項７】
前記制御部は、
前記回転槽を共振回転数未満の所定回転数に維持した状態で、前記振動検知部で検知した振動変位から共振回転数時に前記回転槽の振動を抑制するように前記回転体制御装置を制御する起動判定部と、
前記温度検知部で検知した温度から前記振動検知部で検知した振動変位の値を補正換算する温度補正部と、を備える請求項６に記載のドラム式洗濯機。
【請求項８】
前記温度補正部は、前記温度検知部で検知した温度値から、前記回転体制御装置の温度を推測する温度補間部を、さらに有する請求項７に記載のドラム式洗濯機。
【請求項９】
前記温度補正部は、脱水ステップ前に温度計測を行い、測定された温度計測値から補正を行う請求項７または請求項８のいずれか１項に記載のドラム式洗濯機。
【請求項１０】
前記振動検知部は、前記洗濯槽の前方上部に設けられている請求項１に記載のドラム式洗濯機。
【手続補正３】
【補正対象書類名】図面
【補正対象項目名】全図
【補正方法】変更
【補正の内容】
【図１】
2014199627.tif 000020
【図２】
2014199627.tif 000021
【図３Ａ】
2014199627.tif 000022
【図３Ｂ】
2014199627.tif 000023
【図３Ｃ】
2014199627.tif 000024
【図３Ｄ】
2014199627.tif 000025
【図３Ｅ】
2014199627.tif 000026
【図４】
2014199627.tif 000027
【図５】
2014199627.tif 000028
【図６】
2014199627.tif 000029
【図７Ａ】
2014199627.tif 000030
【図７Ｂ】
2014199627.tif 000031
【図８】
2014199627.tif 000032
【図９】
2014199627.tif 000033
【図１０】
2014199627.tif 000034
【図１１】
2014199627.tif 000035
【図１２】
2014199627.tif 000036
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
筐体と、
前記筐体の内部に支持された洗濯槽と、
前記洗濯槽内に回転可能に収納された回転槽と、
前記回転槽を回転駆動する駆動部と、
前記回転槽に設けた回転体制御装置と、
前記洗濯槽に設けた振動検知部と、
前記回転槽内の布量を算出する布量検知部と、
前記振動検知部からの出力に基づいて前記駆動部を制御する制御部と、を備え、
前記制御部は、前記振動検知部で検知した振動変位と前記布量検知部で検知した布量とに基づいて、脱水起動時に前記回転体制御装置を制御し、
前記制御部は、
前記回転槽を共振回転数未満の所定回転数に維持した状態で、前記振動検知部で検知した振動変位から前記共振回転数時に前記回転槽の振動を抑制するように前記回転体制御装置を制御する起動判定部と、
前記布量検知部で検知した布量から前記振動検知部で検知した振動変位の値を補正換算する布量補正部と、を備えるドラム式洗濯機。
【請求項２】
前記回転体制御装置は、前記回転槽の円周に合わせて設けられ、内部に複数のボールを有するボールバランサで構成され、
前記制御部は、前記振動検知部で検知した振動変位から前記回転槽のアンバランス量と円周方向のアンバランス位置とを含むアンバランス状態を把握し、前記アンバランス状態に基づいて、前記ボールが前記アンバランス位置に対向する位置に偏る対向起動、または、前記ボールが前記ボールバランサ内に分散する分散起動となるように制御する請求項１に記載のドラム式洗濯機。
【請求項３】
前記布量補正部は、前記回転槽内の布量が一定値以下の場合に、布量の補正を行わない請求項１に記載のドラム式洗濯機。
【請求項４】
前記布量補正部は、洗濯ステップの給水前の状態に行った布量で補正する請求項１または
請求項３のいずれか１項に記載のドラム式洗濯機。
【請求項５】
前記回転体制御装置近傍の温度計測を行う温度検知部を、さらに備え、
前記制御部は、前記振動検知部で検知した振動変位と前記布量検知部で検知した布量と前記温度検知部で検知した温度とに基づいて、脱水起動時に前記回転体制御装置を制御する請求項１に記載のドラム式洗濯機。
【請求項６】
前記制御部は、
前記回転槽を共振回転数未満の所定回転数に維持した状態で、前記振動検知部で検知した振動変位から共振回転数時に前記回転槽の振動を抑制するように前記回転体制御装置を制御する起動判定部と、
前記温度検知部で検知した温度から前記振動検知部で検知した振動変位の値を補正換算する温度補正部と、を備える請求項５に記載のドラム式洗濯機。
【請求項７】
前記温度補正部は、前記温度検知部で検知した温度値から、前記回転体制御装置の温度を推測する温度補間部を、さらに有する請求項６に記載のドラム式洗濯機。
【請求項８】
前記温度補正部は、脱水ステップ前に温度計測を行い、測定された温度計測値から補正を行う請求項６または請求項７のいずれか１項に記載のドラム式洗濯機。
【請求項９】
前記振動検知部は、前記洗濯槽の前方上部に設けられている請求項１に記載のドラム式洗濯機。
【手続補正２】
【補正対象書類名】明細書
【補正対象項目名】００１９
【補正方法】変更
【補正の内容】
【００１９】
そこで、本発明のドラム式洗濯機は、筐体と、筐体の内部に支持された洗濯槽と、洗濯槽内に回転可能に収納された回転槽と、回転槽を回転駆動する駆動部と、回転槽に設けた回転体制御装置と、洗濯槽に設けた振動検知部と、回転槽内の布量を算出する布量検知部と、振動検知部からの出力に基づいて駆動部を制御する制御部と、を備える。制御部は、振動検知部で検知した振動変位と布量検知部で検知した布量とに基づいて、脱水起動時に回転体制御装置を制御する構成を有する。
さらに、制御部は、回転槽を共振回転数未満の所定回転数に維持した状態で、振動検知部で検知した振動変位から共振回転数時に回転槽の振動を抑制するように回転体制御装置を制御する起動判定部と、布量検知部で検知した布量から振動検知部で検知した振動変位の値を補正換算する布量補正部とを備える。
【国際調査報告】
2014199627.tif 000037
2014199627.tif 000038
2014199627.tif 000039
2014199627.tif 000040